(57)【要約】【課題】      原稿サイズより大きな印刷用紙に複数ページまたは複数部の原稿画像を割り付けて印刷する際に、画像処理装置で使用可能な印刷用紙サイズと原稿サイズとに応じて自動的に印刷用紙サイズを選択すること。【解決手段】  使用可能な印刷用紙サイズと、複数ページの元画像の元画像サイズと、元画像サイズの整数倍のサイズの印刷用紙に複数ページ割り付けて印刷する節約印刷を実行する印刷用紙の用紙選択条件とに応じて、元画像サイズの整数倍の大きさの使用可能な印刷用紙サイズを設定する使用可能印刷用紙サイズ設定手段（Ｃ３５）と、使用可能な印刷用紙サイズが複数ある場合に、元画像のページ数と用紙選択条件とに応じて、印刷用紙サイズを決定する印刷用紙サイズ設定手段（Ｃ３６Ｃ，Ｃ３７Ｄ，Ｃ３８Ｄ）とを備えた画像処理装置。【選択図】    図５
2005086427.tif 000002
【特許請求の範囲】
【請求項１】
下記の構成要件（Ａ01）〜（Ａ04）を備えた画像処理装置、
（Ａ01）印刷対象となる複数ページの元画像の画像データおよび前記元画像のサイズである元画像サイズを記憶する元画像記憶手段、
（Ａ02）前記複数ページの元画像を前記元画像サイズの整数倍のサイズの印刷用紙に複数ページ割り付けて印刷する節約印刷を実行する際に使用する印刷用紙の用紙選択条件の設定を行うための画面である節約印刷設定画面を表示する節約印刷設定画面表示手段、
（Ａ03）前記節約印刷を実行するか否かを指定するための節約印刷指定画像を前記節約印刷設定画面に表示する節約印刷指定画像表示手段と、前記節約印刷指定画像への入力に応じて節約印刷を実行するか否かの指定を記憶する節約印刷指定記憶手段とを有する節約印刷指定手段、
（Ａ04）前記元画像の画像データ及び前記元画像サイズと、前記節約印刷を実行するか否かの指定と、を含む印刷データを作成する印刷データ作成手段、
【請求項２】
下記の構成要件（Ａ05）を備えた請求項１記載の画像処理装置、
（Ａ05）前記印刷データを送信する印刷データ送信手段。
【請求項３】
下記の構成要件（Ａ06）を備えた請求項１又は２記載の画像処理装置、
（Ａ06）前記節約印刷を実行する際に使用する印刷用紙サイズの最大用紙サイズをユーザが指定するための最大用紙サイズ指定画像を節約印刷設定画面に表示する最大用紙サイズ指定画像表示手段と、前記最大用紙サイズ指定画像へのユーザの入力に応じた最大用紙サイズの指定の有無を記憶する最大用紙サイズ指定有無記憶手段とを有する最大用紙サイズ指定手段、
【請求項４】
下記の構成要件（Ａ07）を備えた請求項１ないし３のいずれか記載の画像処理装置、
（Ａ07）前記節約印刷により印刷された印刷用紙を元画像サイズに裁断する際の裁断回数の最大値である最大裁断回数をユーザが指定するための最大裁断回数指定画像を節約印刷設定画面に表示する最大裁断回数指定画像表示手段と、前記最大裁断回数指定画像へのユーザの入力に応じた最大裁断回数の指定の有無を記憶する最大裁断回数指定有無記憶手段とを有する最大裁断回数指定手段。
【請求項５】
下記の構成要件（Ａ08）を備えた請求項１ないし４のいずれか記載の画像処理装置、
（Ａ08）前記節約印刷をする際に、印刷料金が最小となる印刷用紙に複数ページの元画像を割り付けて印刷する料金節約優先を指定するための料金節約優先指定画像を節約印刷設定画面に表示する料金節約優先指定画像表示手段と、前記料金節約優先指定画像への入力に応じた料金節約優先の指定の有無を記憶する料金節約優先指定記憶手段とを有する料金節約優先指定手段。
【請求項６】
下記の構成要件（Ａ09）を備えた請求項１ないし５のいずれか記載の画像処理装置、
（Ａ09）印刷用紙の両面に画像を印刷する両面印刷を実行するか否かをユーザが指定するための両面印刷指定画像を表示する両面印刷指定画像表示手段と、前記両面印刷指定画像への入力に応じて両面印刷を実行するか否かの指定を記憶する両面印刷指定記憶手段とを有する両面印刷指定手段。
【請求項７】
下記の構成要件（Ａ010）を備えた請求項１ないし６のいずれか記載の画像処理装置、
（Ａ010）元画像サイズ１ページ分にＮページ分の元画像を縮小して印刷するＮｕｐ印刷を実行するか否かをユーザが指定するためのＮｕｐ印刷指定画像を表示するＮｕｐ印刷指定画像表示手段と、前記Ｎｕｐ印刷指定画像への入力に応じてＮｕｐ印刷の指定の有無を記憶するＮｕｐ印刷指定有無記憶手段とを有するＮｕｐ印刷指定手段。
【請求項８】
下記の構成要件（Ｂ01）〜（Ｂ06）を備えた画像処理装置、
（Ｂ01）印刷対象となる複数ページの元画像の画像データ及び前記元画像のサイズである元画像サイズと、前記複数ページの元画像を前記元画像サイズの整数倍のサイズの印刷用紙に複数ページ割り付けて印刷する節約印刷を実行することを指定する節約印刷指定データと、前記節約印刷を実行する際に使用される印刷用紙の用紙選択条件を定める用紙選択条件指定データと、を含む送信用印刷データを受信したときに受信印刷データとして記憶する受信印刷データ記憶手段、
（Ｂ02）前記元画像を印刷するために使用可能な印刷用紙の印刷用紙サイズを記憶する使用可能印刷用紙サイズ記憶手段、
（Ｂ03）前記使用可能印刷用紙サイズ記憶手段で記憶された印刷用紙サイズと、前記元画像サイズと、前記用紙選択条件とに応じて、前記元画像サイズの整数倍の大きさの使用可能な印刷用紙サイズを設定する使用可能印刷用紙サイズ設定手段、
（Ｂ04）前記使用可能印刷用紙サイズ設定手段によって設定された整数倍の前記印刷用紙サイズが複数ある場合に、前記元画像のページ数と前記用紙選択条件とに応じて、前記元画像が印刷される印刷用紙サイズを決定する印刷用紙サイズ設定手段、
（Ｂ05）前記印刷用紙サイズ設定手段で設定された前記整数倍の印刷用紙サイズの印刷用紙１枚に複数ページの前記元画像を割り付ける元画像割り付け手段、
（Ｂ06）前記元画像割り付け手段による割り付けに基づいて印刷用画像データを作成する印刷画像データ作成手段。
【請求項９】
下記の構成要件（Ｃ01）〜（Ｃ09）を備えた画像処理装置、
（Ｃ01）印刷対象となる複数ページの元画像の画像データおよび前記元画像のサイズである元画像サイズを記憶する元画像記憶手段、
（Ｃ02）前記複数ページの元画像を前記元画像サイズの整数倍のサイズの印刷用紙に複数ページ割り付けて印刷する節約印刷を実行する際に使用する印刷用紙の用紙選択条件の指定を行うための画面である節約印刷設定画面を表示する節約印刷設定画面表示手段、
（Ｃ03）前記節約印刷を実行するか否かを指定するための節約印刷指定画像を前記節約印刷設定画面に表示する節約印刷指定画像表示手段と、前記節約印刷指定画像への入力に応じた節約印刷を実行するか否かの指定を記憶する節約印刷指定記憶手段とを有する節約印刷指定手段、
（Ｃ04）前記節約印刷を実行する際に使用される印刷用紙の用紙選択条件を指定する用紙選択条件指定画像を表示する用紙選択条件指定画像表示手段と、前記用紙選択条件指定画像への入力に応じた用紙選択条件の指定を記憶する用紙選択条件指定記憶手段とを有する用紙選択条件指定手段、
（Ｃ05）前記元画像を印刷するために使用可能な印刷用紙の印刷用紙サイズを記憶する使用可能印刷用紙サイズ記憶手段、
（Ｃ06）前記使用可能印刷用紙サイズ記憶手段で記憶された印刷用紙サイズと、前記元画像サイズと、前記用紙選択条件とに応じて、前記元画像サイズの整数倍の大きさの使用可能な印刷用紙サイズを設定する使用可能印刷用紙サイズ設定手段、
（Ｃ07）前記使用可能印刷用紙サイズ設定手段によって設定された整数倍の前記印刷用紙サイズが複数ある場合に、前記元画像のページ数と前記用紙選択条件とに応じて、前記元画像が印刷される印刷用紙サイズを決定する印刷用紙サイズ設定手段、
（Ｃ08）前記印刷用紙サイズ設定手段で設定された前記整数倍の印刷用紙サイズの印刷用紙１枚に複数ページの前記元画像を割り付ける元画像割り付け手段、
（Ｃ09）前記元画像割り付け手段による割り付けに基づいて印刷用画像データを作成する印刷画像データ作成手段。
【請求項１０】
下記の構成要件（Ｂ07）を備えた請求項８又は９のいずれか記載の画像処理装置、
（Ｂ07）前記整数倍の各印刷用紙サイズの整数値が元画像のページ数以下となる印刷用紙サイズを、前記元画像が印刷される印刷用紙サイズとして設定する前記印刷用紙サイズ設定手段。
【請求項１１】
下記の構成要件（Ｂ08）〜（Ｂ010）を備えた請求項８ないし１０のいずれか記載の画像処理装置、
（Ｂ08）前記印刷用紙サイズに元画像を印刷する際に必要な印刷料金を印刷用紙サイズ毎に記憶する印刷料金記憶手段、
（Ｂ09）前記印刷料金に基づいて、印刷料金が最小になるように前記印刷用紙サイズを設定する料金節約優先の指定があるか否かを示す設定料金節約優先指定データを含む前記用紙選択条件指定データ、
（Ｂ010）前記料金節約優先が指定された場合に、印刷料金が最小になる前記印刷用紙サイズを、前記元画像が印刷される印刷用紙サイズとして設定する前記印刷用紙サイズ設定手段。
【請求項１２】
下記の構成要件（Ｂ011），（Ｂ012）を備えた請求項８ないし１１のいずれか記載の画像処理装置、
（Ｂ011）前記節約印刷を実行する際に使用する印刷用紙サイズの最大用紙サイズの指定があるか否かを示す最大用紙サイズ指定データを含む前記用紙選択条件指定データ、
（Ｂ012）前記最大用紙サイズの指定がある場合に、指定された前記最大用紙サイズを超えない範囲且つ前記元画像サイズの整数倍の大きさの使用可能な印刷用紙サイズを設定する前記使用可能印刷用紙サイズ設定手段。
【請求項１３】
下記の構成要件（Ｂ013），（Ｂ014）を備えた請求項８ないし１２のいずれか記載の画像処理装置、
（Ｂ013）前記節約印刷により印刷された印刷用紙を元画像サイズに裁断する際の裁断回数の最大値である最大裁断回数の指定があるか否かを示す最大裁断回数指定データを含む前記用紙選択条件指定データ、
（Ｂ014）前記最大裁断回数の指定がある場合に、前記元画像サイズと前記最大裁断回数の指定値とに応じて、節約印刷後の印刷用紙を裁断する回数が前記最大裁断回数を超えない範囲且つ前記元画像サイズの整数倍の大きさの使用可能な印刷用紙サイズを設定する前記使用可能印刷用紙サイズ設定手段。
【発明の詳細な説明】
【技術分野】
【０００１】
本発明は、複数ページまたは複数部の原稿や画像を印刷可能なプリンタ、ＦＡＸ、複写機、プリンタサーバ等の画像処理装置に関し、特に、１枚の印刷用紙に複数ページまたは複数部の原稿等を割り付けて印刷可能な画像処理装置に関する。
【背景技術】
【０００２】
従来のプリンタや複写機等の画像処理装置において、印刷を実行すると、使用した印刷用紙のサイズと使用した印刷用紙の枚数とがカウントされ、カウント値に基づいて印刷料金が算出される。通常、印刷用紙サイズが大きくなると、用紙一枚当たりの印刷料金は高くなるが、単位面積当たりの料金は割安となる。
複数部または複数ページの原稿または画像を印刷する際に、前記印刷料金を削減する方法の一つとして、原稿サイズよりも大きな印刷用紙に原稿等を複数ページ（または複数部）割り付けて印刷する方法がある。この方法で印刷した場合、印刷後に印刷用紙を切断（裁断）することによって、ページ毎の印刷画像を得ることができると共に、単位面積当たりの料金が割安になり且つ印刷枚数を減らすことができるので、印刷料金を削減することができる。
【０００３】
しかしながら、プリンタの場合、前記従来の方法では、原稿の複数ページを等倍のまま、大きな印刷用紙に印刷するには、印刷用紙サイズを指定し且つその印刷用紙サイズに複数ページをユーザが割り付ける作業を行い、割付後の印刷データをプリンタに送信する必要があった。
また、複写機の場合、ユーザがプラテンガラス上に複数の原稿を割り付けた状態で配置する必要があり、自動原稿搬送装置（ＡＤＦ：Auto Document Feeder）を使用して複数原稿を大きな印刷用紙に割り付けることはできなかった。
【０００４】
そこで、前記ユーザによる割り付けの手間を低減する技術として次の従来技術（Ｊ01）が公知である。
（Ｊ01）特許文献１（特開２００２−２１１０７１号公報）記載の技術
特許文献１には、１枚の原稿画像を複数部印刷する場合に、原稿画像サイズよりも大きな印刷用紙に複数配置し、各原稿画像の境界に裁断位置を印刷する技術が記載されている。そして、前記大きな印刷用紙に複数の原稿画像を配置する際に、裁断する回数が少なくなるように配置している。
【０００５】
【特許文献１】特開２００２−２１１０７１号公報（段落番号「００４４」〜「００４８」、「００６３」〜「００６４」）
【発明の開示】
【発明が解決しようとする課題】
【０００６】
しかしながら、前記従来技術（Ｊ01）では、裁断する回数が少なくなるように配置すると、裁断後に印刷用紙の切れ端が残る場合があるので、印刷用紙の無駄が発生する問題がある。また、原稿が１枚の場合では、原稿サイズと同じサイズの印刷用紙に印刷する場合と比較して、印刷用紙の無駄が大きく、コスト（印刷料金）の面でも不利となる問題がある。
また、前記従来技術の画像処理装置では、複数原稿に対する記録用紙の選択基準が無く、複数原稿が割り付けられる印刷用紙のサイズは、ユーザの指定した印刷用紙サイズで印刷されていた。したがって、オフィス向けの複写機（コピー機）などの複数の印刷用紙を扱うことのできる画像処理装置において、複数原稿の原稿サイズに応じて自動的に印刷用紙サイズを選択することができなかった。
【０００７】
本発明は、前述の事情に鑑み、下記（Ｏ01），（Ｏ02）の記載内容を技術的課題とする。
（Ｏ01）原稿サイズより大きな印刷用紙に複数ページまたは複数部の原稿画像を割り付けて印刷する際に、画像処理装置で使用可能な印刷用紙サイズと原稿サイズとに応じて自動的に印刷用紙サイズを選択すること。
（Ｏ02）裁断時の印刷用紙の切れ端等の無駄紙の発生を防止すること。
【課題を解決するための手段】
【０００８】
次に、前記課題を解決するために案出した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００９】
（本発明）
（第１発明）
前記課題を解決するために、第１発明の画像処理装置は、下記の構成要件（Ａ01）〜（Ａ04）を備えたことを特徴とする、
（Ａ01）印刷対象となる複数ページの元画像の画像データおよび前記元画像のサイズである元画像サイズを記憶する元画像記憶手段（Ｃ１）、
（Ａ02）前記複数ページの元画像を前記元画像サイズの整数倍のサイズの印刷用紙に複数ページ割り付けて印刷する節約印刷を実行する際に使用する印刷用紙の用紙選択条件の設定を行うための画面である節約印刷設定画面（１）を表示する節約印刷設定画面表示手段（Ｃ２）、
（Ａ03）前記節約印刷を実行するか否かを指定するための節約印刷指定画像（６）を前記節約印刷設定画面（１）に表示する節約印刷指定画像表示手段（Ｃ４Ａ）と、前記節約印刷指定画像（６）への入力に応じて節約印刷を実行するか否かの指定を記憶する節約印刷指定記憶手段（Ｃ４Ｂ）とを有する節約印刷指定手段（Ｃ４）、
（Ａ04）前記元画像の画像データ及び前記元画像サイズと、前記節約印刷を実行するか否かの指定と、を含む印刷データを作成する印刷データ作成手段（Ｃ２１）、
【００１０】
前記構成要件（Ａ01）〜（Ａ04）を備えた第１発明の画像処理装置では、元画像記憶手段（Ｃ１）は、印刷対象となる複数ページの元画像の画像データおよび前記元画像のサイズである元画像サイズを記憶する。節約印刷設定画面表示手段（Ｃ２）は、前記複数ページの元画像を前記元画像サイズの整数倍のサイズの印刷用紙に複数ページ割り付けて印刷する節約印刷を実行する際に使用する印刷用紙の用紙選択条件の設定を行うための画面である節約印刷設定画面（１）を表示する。前記節約印刷設定画面（１）には、節約印刷指定手段（Ｃ４）の節約印刷指定画像表示手段（Ｃ４Ａ）によって前記節約印刷を実行するか否かを指定するための節約印刷指定画像（６）が表示される。節約印刷指定記憶手段（Ｃ４Ｂ）は、前記節約印刷指定画像（６）へのユーザの入力に応じた節約印刷を実行するか否かの指定を記憶する。そして、印刷データ作成手段（Ｃ２１）は、前記元画像の画像データ及び前記元画像サイズと、前記節約印刷を実行するか否かの指定と、を含む印刷データを作成する。
【００１１】
したがって、第１発明の画像処理装置では、節約印刷設定画面（１）に表示された節約印刷指定画像（６）への入力により節約印刷を実行するか否かを指定できる。そして、節約印刷を実行することが指定された場合、節約印刷実行の指定、元画像データ及び元画像サイズを含む印刷データに基づいて、印刷装置（画像処理装置、Ｐｒ）で使用可能な印刷用紙サイズと元画像サイズ（原稿サイズ）とに応じて自動的に印刷用紙サイズを選択して節約印刷を実行することができる。
【００１２】
また、前記第１発明の画像処理装置は、下記の構成要件（Ａ05）を備えることも可能である。
（Ａ05）前記印刷データを送信する印刷データ送信手段（Ｃ２２）。
したがって、前記構成要件（Ａ05）を備えた第１発明の画像処理装置では、ローカルエリアネットワーク（ＬＡＮ）や、公衆回線、プリンタ接続ケーブル等を通じて印刷データをプリンタサーバ等の画像処理装置（ＰＳ）や印刷装置（Ｐｒ）に送信できる。
【００１３】
また、前記第１発明の画像処理装置は、下記の構成要件（Ａ06）を備えることも可能である。
（Ａ06）前記節約印刷を実行する際に使用する印刷用紙サイズの最大用紙サイズをユーザが指定するための最大用紙サイズ指定画像（７）を節約印刷設定画面（１）に表示する最大用紙サイズ指定画像表示手段（Ｃ５Ａ）と、前記最大用紙サイズ指定画像（７）へのユーザの入力に応じた最大用紙サイズの指定の有無を記憶する最大用紙サイズ指定有無記憶手段（Ｃ５Ｂ）とを有する最大用紙サイズ指定手段（Ｃ５）。
前記構成要件（Ａ06）を備えた画像処理装置では、節約印刷時に使用する印刷用紙の最大サイズを、最大用紙サイズ指定画像（７）への入力により指定することができる。
【００１４】
また、前記第１発明の画像処理装置は、下記の構成要件（Ａ07）を備えることも可能である。
（Ａ07）前記節約印刷により印刷された印刷用紙を元画像サイズに裁断する際の裁断回数の最大値である最大裁断回数をユーザが指定するための最大裁断回数指定画像（８）を節約印刷設定画面（１）に表示する最大裁断回数指定画像表示手段（Ｃ６Ａ）と、前記最大裁断回数指定画像（８）へのユーザの入力に応じた最大裁断回数の指定の有無を記憶する最大裁断回数指定有無記憶手段（Ｃ６Ｂ）とを有する最大裁断回数指定手段（Ｃ６）。
前記構成要件（Ａ07）を備えた第１発明の画像処理装置では、節約印刷時に使用する印刷用紙の裁断回数の最大値を指定するか否かを、最大裁断回数指定画像（８）への入力により指定することができる。
【００１５】
また、前記第１発明の画像処理装置は、下記の構成要件（Ａ08）を備えることも可能である。
（Ａ08）前記節約印刷をする際に、印刷料金が最小となる印刷用紙に複数ページの元画像を割り付けて印刷する料金節約優先を指定するための料金節約優先指定画像（９）を節約印刷設定画面（１）に表示する料金節約優先指定画像表示手段（Ｃ７Ａ）と、前記料金節約優先指定画像（９）への入力に応じた料金節約優先の指定の有無を記憶する料金節約優先指定記憶手段（Ｃ７Ｂ）とを有する料金節約優先指定手段（Ｃ７）。
前記構成要件（Ａ08）を備えた第１発明の画像処理装置では、料金節約優先を指定するか否かを、料金節約優先指定画像（９）への入力により指定することができる。
【００１６】
また、前記第１発明の画像処理装置は、下記の構成要件（Ａ09）を備えることも可能である。
（Ａ09）印刷用紙の両面に画像を印刷する両面印刷を実行するか否かをユーザが指定するための両面印刷指定画像（１１）を表示する両面印刷指定画像表示手段（Ｃ８Ａ）と、前記両面印刷指定画像（１１）への入力に応じて両面印刷を実行するか否かの指定を記憶する両面印刷指定記憶手段（Ｃ８Ｂ）とを有する両面印刷指定手段（Ｃ８）。
前記構成要件（Ａ09）を備えた第１発明の画像処理装置では、両面印刷を実行するか否かを、両面印刷指定画像（１１）への入力により指定することができる。
【００１７】
また、前記第１発明の画像処理装置は、下記の構成要件（Ａ010）を備えることも可能である。
（Ａ010）元画像サイズ１ページ分にＮページ分の元画像を縮小して印刷するＮｕｐ印刷を実行するか否かをユーザが指定するためのＮｕｐ印刷指定画像（１２）を表示するＮｕｐ印刷指定画像表示手段（Ｃ９Ａ）と、前記Ｎｕｐ印刷指定画像（１２）への入力に応じてＮｕｐ印刷の指定の有無を記憶するＮｕｐ印刷指定有無記憶手段（Ｃ９Ｂ）とを有するＮｕｐ印刷指定手段（Ｃ９）。
前記構成要件（Ａ010）を備えた第１発明の画像処理装置では、Ｎｕｐ印刷を実行するか否かを、Ｎｕｐ印刷指定画像（１２）への入力により指定することができる。
【００１８】
（第２発明）
前記課題を解決するために第２発明の画像処理装置は、下記の構成要件（Ｂ01）〜（Ｂ06）を備えたことを特徴とする。
（Ｂ01）印刷対象となる複数ページの元画像の画像データ及び前記元画像のサイズである元画像サイズと、前記複数ページの元画像を前記元画像サイズの整数倍のサイズの印刷用紙に複数ページ割り付けて印刷する節約印刷を実行することを指定する節約印刷指定データと、前記節約印刷を実行する際に使用される印刷用紙の用紙選択条件を定める用紙選択条件指定データと、を含む送信用印刷データを受信したときに受信印刷データとして記憶する受信印刷データ記憶手段（Ｃ３１）、
（Ｂ02）前記元画像を印刷するために使用可能な印刷用紙の印刷用紙サイズを記憶する使用可能印刷用紙サイズ記憶手段（Ｃ３Ａ）、
（Ｂ03）前記使用可能印刷用紙サイズ記憶手段（Ｃ３Ａ）で記憶された印刷用紙サイズと、前記元画像サイズと、前記用紙選択条件とに応じて、前記元画像サイズの整数倍の大きさの使用可能な印刷用紙サイズを設定する使用可能印刷用紙サイズ設定手段（Ｃ３５）、
（Ｂ04）前記使用可能印刷用紙サイズ設定手段（Ｃ３５）によって設定された整数倍の前記印刷用紙サイズが複数ある場合に、前記元画像のページ数と前記用紙選択条件とに応じて、前記元画像が印刷される印刷用紙サイズを決定する印刷用紙サイズ設定手段（Ｃ３６Ｃ，Ｃ３７Ｄ，Ｃ３８Ｄ）、
（Ｂ05）前記印刷用紙サイズ設定手段（Ｃ３６Ｃ，Ｃ３７Ｄ，Ｃ３８Ｄ）で設定された前記整数倍の印刷用紙サイズの印刷用紙１枚に複数ページの前記元画像を割り付ける元画像割り付け手段（Ｃ３６Ｄ，Ｃ３７Ｅ，Ｃ３８Ｅ）、
（Ｂ06）前記元画像割り付け手段（Ｃ３６Ｄ，Ｃ３７Ｅ，Ｃ３８Ｅ）による割り付けに基づいて印刷用画像データを作成する印刷画像データ作成手段（Ｃ３９）。
【００１９】
前記構成要件（Ｂ01）〜（Ｂ06）を備えた第２発明の画像処理装置では、使用可能印刷用紙サイズ設定手段（Ｃ３５）は、使用可能印刷用紙サイズ記憶手段（Ｃ３Ａ）で記憶された元画像を印刷するために使用可能な印刷用紙の印刷用紙サイズと、受信印刷データ記憶手段（Ｃ３１）で記憶された受信印刷データに含まれる前記元画像サイズと、前記用紙選択条件指定データにより定まる用紙選択条件とに応じて、前記元画像サイズの整数倍の大きさの使用可能な印刷用紙サイズを設定する。印刷用紙サイズ設定手段（Ｃ３６Ｃ，Ｃ３７Ｄ，Ｃ３８Ｄ）は、前記使用可能印刷用紙サイズ設定手段（Ｃ３５）によって設定された整数倍の前記印刷用紙サイズが複数ある場合に、前記元画像のページ数と前記用紙選択条件とに応じて、前記元画像が印刷される印刷用紙サイズを決定する。元画像割り付け手段（Ｃ３６Ｄ，Ｃ３７Ｅ，Ｃ３８Ｅ）は、前記印刷用紙サイズ設定手段（Ｃ３６Ｃ，Ｃ３７Ｄ，Ｃ３８Ｄ）で設定された前記整数倍の印刷用紙サイズの印刷用紙１枚に複数ページの前記元画像を割り付ける。印刷画像データ作成手段（Ｃ３９）は、前記元画像割り付け手段（Ｃ３６Ｄ，Ｃ３７Ｅ，Ｃ３８Ｅ）による割り付けに基づいて印刷用画像データを作成する。
【００２０】
したがって、前記第２発明の画像処理装置は、受信印刷データに含まれる節約印刷指定データにより節約印刷の実行が指定された場合、使用可能な印刷用紙の印刷用紙サイズと、元画像サイズと、用紙選択条件とに応じて、前記元画像サイズの整数倍の大きさの使用可能な印刷用紙サイズが自動的に設定される。そして、自動設定された印刷用紙サイズの印刷用紙に複数ページの元画像が割り付けられた印刷用画像データが作成され、作成された印刷用画像データに基づいて節約印刷を実行することができる。
【００２１】
（第３発明）
前記課題を解決するために第３発明の画像処理装置は、下記の構成要件（Ｃ01）〜（Ｃ09）を備えたことを特徴とする。
（Ｃ01）印刷対象となる複数ページの元画像の画像データおよび前記元画像のサイズである元画像サイズを記憶する元画像記憶手段（Ｃ１）、
（Ｃ02）前記複数ページの元画像を前記元画像サイズの整数倍のサイズの印刷用紙に複数ページ割り付けて印刷する節約印刷を実行する際に使用する印刷用紙の用紙選択条件の指定を行うための画面である節約印刷設定画面（１）を表示する節約印刷設定画面表示手段（Ｃ２）、
（Ｃ03）前記節約印刷を実行するか否かを指定するための節約印刷指定画像（６）を前記節約印刷設定画面（１）に表示する節約印刷指定画像表示手段（Ｃ４Ａ）と、前記節約印刷指定画像（６）への入力に応じた節約印刷を実行するか否かの指定を記憶する節約印刷指定記憶手段（Ｃ４Ｂ）とを有する節約印刷指定手段（Ｃ４）、
（Ｃ04）前記節約印刷を実行する際に使用される印刷用紙の用紙選択条件を指定する用紙選択条件指定画像（４〜１２）を表示する用紙選択条件指定画像表示手段（Ｃ３Ｂ，Ｃ４Ａ，Ｃ４Ｃ１，Ｃ５Ａ，Ｃ５Ｃ，Ｃ６Ａ，Ｃ６Ｃ，Ｃ７Ａ，Ｃ８Ａ，Ｃ９Ａ，Ｃ９Ｃ）と、前記用紙選択条件指定画像（４〜１２）への入力に応じた用紙選択条件の指定を記憶する用紙選択条件指定記憶手段（Ｃ３Ｃ，Ｃ４Ｂ，Ｃ４Ｃ２，Ｃ５Ｂ，Ｃ５Ｄ，Ｃ６Ｂ，Ｃ６Ｄ，Ｃ７Ｂ，Ｃ８Ｂ，Ｃ９Ｂ，Ｃ９Ｄ）とを有する用紙選択条件指定手段（Ｃ３〜Ｃ９）、
（Ｃ05）前記元画像を印刷するために使用可能な印刷用紙の印刷用紙サイズを記憶する使用可能印刷用紙サイズ記憶手段（Ｃ３Ａ）、
（Ｃ06）前記使用可能印刷用紙サイズ記憶手段（Ｃ３Ａ）で記憶された印刷用紙サイズと、前記元画像サイズと、前記用紙選択条件とに応じて、前記元画像サイズの整数倍の大きさの使用可能な印刷用紙サイズを設定する使用可能印刷用紙サイズ設定手段（Ｃ３５）、
（Ｃ07）前記使用可能印刷用紙サイズ設定手段（Ｃ３５）によって設定された整数倍の前記印刷用紙サイズが複数ある場合に、前記元画像のページ数と前記用紙選択条件とに応じて、前記元画像が印刷される印刷用紙サイズを決定する印刷用紙サイズ設定手段（Ｃ３６Ｃ，Ｃ３７Ｄ，Ｃ３８Ｄ）、
（Ｃ08）前記印刷用紙サイズ設定手段（Ｃ３６Ｃ，Ｃ３７Ｄ，Ｃ３８Ｄ）で設定された前記整数倍の印刷用紙サイズの印刷用紙１枚に複数ページの前記元画像を割り付ける元画像割り付け手段（Ｃ３６Ｄ，Ｃ３７Ｅ，Ｃ３８Ｅ）、
（Ｃ09）前記元画像割り付け手段（Ｃ３６Ｄ，Ｃ３７Ｅ，Ｃ３８Ｅ）による割り付けに基づいて印刷用画像データを作成する印刷画像データ作成手段（Ｃ３９）。
【００２２】
前記構成要件（Ｃ01）〜（Ｃ09）を備えた第３発明の画像処理装置では、節約印刷設定画面表示手段（Ｃ２）は、元画像記憶手段（Ｃ１）に記憶された複数ページの元画像を前記元画像サイズの整数倍のサイズの印刷用紙に複数ページ割り付けて印刷する節約印刷を実行する際に使用する印刷用紙の用紙選択条件の指定を行うための画面である節約印刷設定画面（１）を表示する。前記節約印刷設定画面（１）には、節約印刷指定手段（Ｃ４）の節約印刷指定画像表示手段（Ｃ４Ａ）によって、前記節約印刷を実行するか否かを指定するための節約印刷指定画像（６）が表示される。そして、前記節約印刷指定画像（６）へのユーザの入力に応じた節約印刷を実行するか否かの指定が、節約印刷指定記憶手段（Ｃ４Ｂ）によって記憶される。また、用紙選択条件指定手段（Ｃ３〜Ｃ９）の用紙選択条件指定画像表示手段（Ｃ３Ｂ，Ｃ４Ａ，Ｃ４Ｃ１，Ｃ５Ａ，Ｃ５Ｃ，Ｃ６Ａ，Ｃ６Ｃ，Ｃ７Ａ，Ｃ８Ａ，Ｃ９Ａ，Ｃ９Ｃ）によって表示される用紙選択条件指定画像（４〜１２）へのユーザの入力に応じた前記節約印刷を実行する際に使用される印刷用紙の用紙選択条件の指定が、用紙選択条件指定記憶手段（Ｃ３Ｃ，Ｃ４Ｂ，Ｃ４Ｃ２，Ｃ５Ｂ，Ｃ５Ｄ，Ｃ６Ｂ，Ｃ６Ｄ，Ｃ７Ｂ，Ｃ８Ｂ，Ｃ９Ｂ，Ｃ９Ｄ）によって記憶される。
【００２３】
使用可能印刷用紙サイズ設定手段（Ｃ３５）は、前記使用可能印刷用紙サイズ記憶手段（Ｃ３Ａ）で記憶された元画像を印刷するために使用可能な印刷用紙の印刷用紙サイズと、元画像記憶手段（Ｃ１）に記憶された元画像サイズと、前記用紙選択条件指定記憶手段（Ｃ３Ｃ，Ｃ４Ｂ，Ｃ４Ｃ２，Ｃ５Ｂ，Ｃ５Ｄ，Ｃ６Ｂ，Ｃ６Ｄ，Ｃ７Ｂ，Ｃ８Ｂ，Ｃ９Ｂ，Ｃ９Ｄ）に記憶された用紙選択条件とに応じて、前記元画像サイズの整数倍の大きさの使用可能な印刷用紙サイズを設定する。印刷用紙サイズ設定手段（Ｃ３６Ｃ，Ｃ３７Ｄ，Ｃ３８Ｄ）は、前記使用可能印刷用紙サイズ設定手段（Ｃ３５）によって設定された整数倍の前記印刷用紙サイズが複数ある場合に、前記元画像のページ数と前記用紙選択条件とに応じて、前記元画像が印刷される印刷用紙サイズを決定する。そして、前記印刷用紙サイズ設定手段（Ｃ３６Ｃ，Ｃ３７Ｄ，Ｃ３８Ｄ）で設定された前記整数倍の印刷用紙サイズの印刷用紙１枚に、元画像割り付け手段（Ｃ３６Ｄ，Ｃ３７Ｅ，Ｃ３８Ｅ）によって複数ページの前記元画像が割り付けられる。印刷画像データ作成手段（Ｃ３９）は、前記元画像割り付け手段（Ｃ３６Ｄ，Ｃ３７Ｅ，Ｃ３８Ｅ）による割り付けに基づいて印刷用画像データを作成する。
【００２４】
したがって、前記第３発明の画像処理装置は、節約印刷指定画像（６）への入力により節約印刷の実行が指定された場合、使用可能な印刷用紙の印刷用紙サイズと、元画像サイズと、用紙選択条件とに応じて、前記元画像サイズの整数倍の大きさの使用可能な印刷用紙サイズが自動的に設定される。そして、自動設定された印刷用紙サイズの印刷用紙に複数ページの元画像が割り付けられた印刷用画像データが作成され、作成された印刷用画像データに基づいて節約印刷を実行することができる。
【００２５】
また、前記第２発明又は第３発明の画像処理装置は、下記の構成要件（Ｂ07）を備えることも可能である。
（Ｂ07）前記整数倍の各印刷用紙サイズの整数値が元画像のページ数以下となる印刷用紙サイズを、前記元画像が印刷される印刷用紙サイズとして設定する前記印刷用紙サイズ設定手段（Ｃ３６Ｃ，Ｃ３７Ｄ，Ｃ３８Ｄ）。
したがって、前記（Ｂ07）を備えた第２発明又は第３発明の画像処理装置では、前記整数倍の各印刷用紙サイズの整数値が元画像のページ数以下となる印刷用紙サイズが、前記元画像が印刷される印刷用紙サイズとして設定されるので、裁断後に印刷用紙の切れ端等の無駄紙が発生することを防止できる。
【００２６】
また、前記第２発明又は第３発明の画像処理装置は、下記の構成要件（Ｂ08）〜（Ｂ010）を備えることも可能である。
（Ｂ08）前記印刷用紙サイズに元画像を印刷する際に必要な印刷料金を印刷用紙サイズ毎に記憶する印刷料金記憶手段（Ｃ３５Ｂ）、
（Ｂ09）前記印刷料金に基づいて、印刷料金が最小になるように前記印刷用紙サイズを設定する料金節約優先の指定があるか否かを示す設定料金節約優先指定データを含む前記用紙選択条件指定データ、
（Ｂ010）前記料金節約優先が指定された場合に、印刷料金が最小になる前記印刷用紙サイズを、前記元画像が印刷される印刷用紙サイズとして設定する前記印刷用紙サイズ設定手段（Ｃ３６Ｃ，Ｃ３７Ｄ，Ｃ３８Ｄ）。
【００２７】
前記構成要件（Ｂ08）〜（Ｂ010）を備えた第２発明又は第３発明の画像処理装置では、印刷料金が最小になるように前記印刷用紙サイズを設定する料金節約優先が指定された場合に、前記印刷用紙サイズ設定手段（Ｃ３６Ｃ，Ｃ３７Ｄ，Ｃ３８Ｄ）によって、印刷料金記憶手段（Ｃ３５Ｂ）によって印刷用紙サイズ毎に記憶された印刷料金に基づいて印刷料金が最小になる印刷用紙サイズが、前記元画像が印刷される印刷用紙サイズとして設定される。したがって、節約印刷が実行される際の印刷料金を最小にすることができる。
【００２８】
また、前記第２発明又は第３発明の画像処理装置は、下記の構成要件（Ｂ011），（Ｂ012）を備えることも可能である。
（Ｂ011）前記節約印刷を実行する際に使用する印刷用紙サイズの最大用紙サイズの指定があるか否かを示す最大用紙サイズ指定データを含む前記用紙選択条件指定データ、
（Ｂ012）前記最大用紙サイズの指定がある場合に、指定された前記最大用紙サイズを超えない範囲且つ前記元画像サイズの整数倍の大きさの使用可能な印刷用紙サイズを設定する前記使用可能印刷用紙サイズ設定手段（Ｃ３５）。
したがって、前記構成要件（Ｂ011），（Ｂ012）を備えた第２発明又は第３発明の画像処理装置では、前記使用可能印刷用紙サイズ設定手段（Ｃ３５）によって、元画像が印刷される印刷用紙サイズとして、指定された前記最大用紙サイズを超えない範囲且つ前記元画像サイズの整数倍の大きさの使用可能な印刷用紙サイズが設定される。
【００２９】
また、前記第２発明又は第３発明の画像処理装置は、下記の構成要件（Ｂ013），（Ｂ014）を備えることも可能である。
（Ｂ013）前記節約印刷により印刷された印刷用紙を元画像サイズに裁断する際の裁断回数の最大値である最大裁断回数の指定があるか否かを示す最大裁断回数指定データを含む前記用紙選択条件指定データ、
（Ｂ014）前記最大裁断回数の指定がある場合に、前記元画像サイズと前記最大裁断回数の指定値とに応じて、節約印刷後の印刷用紙を裁断する回数が前記最大裁断回数を超えない範囲且つ前記元画像サイズの整数倍の大きさの使用可能な印刷用紙サイズを設定する前記使用可能印刷用紙サイズ設定手段（Ｃ３５）。
したがって、前記構成要件（Ｂ013），（Ｂ014）を備えた第２発明又は第３発明の画像処理装置では、前記使用可能印刷用紙サイズ設定手段（Ｃ３５）によって、元画像が印刷される印刷用紙サイズとして、前記最大裁断回数を超えない範囲且つ前記元画像サイズの整数倍の大きさの使用可能な印刷用紙サイズが設定される。
【発明の効果】
【００３０】
前述の本発明は、下記の効果（Ｋ01）〜（Ｋ07）を奏することができる。
（Ｋ01）原稿サイズより大きな印刷用紙に複数ページまたは複数部の原稿画像を割り付けて印刷する際に、画像処理装置で使用可能な印刷用紙サイズと原稿サイズとに応じて自動的に印刷用紙サイズを選択することができる。
（Ｋ02）裁断時の印刷用紙の切れ端等の無駄紙の発生を防止することができる。
（Ｋ03）印刷用紙サイズの設定及び割付が自動的に行われるので、ユーザによる割り付け作業を省略することができる。
（Ｋ04）印刷コスト（印刷料金）を抑えることができる。
（Ｋ05）印刷後の印刷用紙の裁断回数をユーザが指定して印刷することができる。
（Ｋ06）印刷に使用される印刷用紙の最大サイズをユーザが指定することができる。
（Ｋ07）両面印刷及びＮｕｐ印刷時に、自動的に印刷用紙サイズを設定し、画像を割り付けて節約印刷することができる。
【発明を実施するための最良の形態】
【００３１】
（実施の形態）
次に図面を参照しながら、本発明の実施の形態を説明するが、本発明は以下の実施の形態に限定されるものではない。
（実施の形態１）
図１は本発明の印刷処理システムの実施の形態１の説明図である。
図１において、印刷処理システムＳのプリンタサーバ（画像処理装置）ＰＳには、ケーブルを介してプリンタ（印刷装置、画像処理装置）Ｐｒが接続されている。また、前記プリンタサーバＰＳはローカルネットワークＬＮに接続されており、前記ローカルネットワークＬＮには複数のクライアントパソコン（画像処理装置）ＰＣ、ワークステーションＷＳ、データベースサーバＤＢＳ等が接続されている。
【００３２】
前記クライアントパソコンＰＣ、データベースサーバＤＢＳ等は、コンピュータ本体Ｈ１、ディスプレイＨ２、キーボード（入力装置）Ｈ３、マウス（入力装置）Ｈ４、図示しないＨＤドライブ（ハードディスクドライブ）、ＣＤドライブ（コンパクトディスクドライブ）、およびＦＤドライブ（フレキシブルディスクドライブ）等により構成されている。
また、前記プリンタサーバＰＳも、前記クライアントパソコンＰＣ等と同様に、コンピュータ本体Ｄ１、ディスプレイＤ２、キーボードＤ３やマウスＤ４の入力装置、ハードディスクドライブ（図示せず）等により構成されている。
前記プリンタＰｒは、印刷用紙給紙用の複数の給紙トレイＴＲ及び手差しトレイＴＲ０と、印刷用紙排紙用のフェイスダウン排紙トレイＴＲ１及びフェイスアップ排紙トレイＴＲ２とを有している。なお、実施の形態１では各給紙トレイＴＲには、Ａ３，Ａ４，Ａ５，Ｂ４の定形サイズの印刷用紙が収容されている。
【００３３】
（クライアントパソコンＰＣの機能）
図２は前記図１に示す印刷処理システムのクライアントパソコンの機能をブロック図（機能ブロック図）で示した図である。
図２において、クライアントパソコンＰＣのコンピュータ本体Ｈ１は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有している。
前記構成のクライアントパソコンＰＣは、前記ハードディスクやＲＯＭ等に記憶されたプログラムを実行することにより種々の機能を実現することができる。
【００３４】
前記クライアントパソコンＰＣの前記ハードディスクドライブには、ワープロソフトや画像処理ソフト等のアプリケーションプログラムＡＰと、節約印刷時の印刷用紙のサイズや節約印刷の指定等の用紙選択条件を含む印刷パラメータを指定するための印刷パラメータ設定プログラム（印刷パラメータ設定手段、画像処理プログラム）Ｐ１と、前記印刷パラメータ設定プログラムＰ１で設定された印刷パラメータ（用紙選択条件等）と元画像データとを含む送信用印刷データを作成しプリンタサーバＰＳに送信するための印刷データ作成プログラム（画像処理プログラム）Ｐ２とが記憶されている。前記印刷パラメータ設定プログラムＰ１及び印刷データ作成プログラムＰ２は、次の各機能実現手段（プログラムモジュール）を有している。
【００３５】
図３は本発明の実施の形態１の画像処理装置の画像処理プログラムとしての印刷パラメータ設定プログラムの機能実現手段によってクライアントパソコン又はプリンタサーバのディスプレイに表示される節約印刷設定画面の説明図である。
図４は本発明の画像処理装置としてのクライアントパソコンに組み込まれているアプリケーションプログラムの印刷開始入力画面の説明図である。
【００３６】
（印刷パラメータ設定プログラムＰ１の機能）
Ｃ１：元画像記憶手段
元画像記憶手段Ｃ１は、前記アプリケーションプログラムＡＰで作成され印刷指示された印刷対象となる元画像の画像データおよび前記元画像のサイズである元画像用紙サイズを記憶する。
Ｃ２：節約印刷設定画面表示手段
節約印刷設定画面表示手段Ｃ２は、複数ページの元画像を前記元画像サイズの整数倍のサイズの印刷用紙に複数ページ割り付けて印刷する節約印刷を実行する際に使用する印刷用紙の用紙選択条件の設定を行うための画面である節約印刷設定画面１（図３参照）を表示する。節約印刷設定画面１は、前記アプリケーションプログラムＡＰで印刷開始を選択した際に表示される印刷開始入力画面２（印刷範囲や印刷部数、片面・両面印刷の指定、綴じ位置の指定等を行う画面、図４参照）において、「節約印刷の設定」を選択した場合に表示される。
【００３７】
Ｃ３：印刷用紙設定手段（用紙選択条件指定手段）
印刷用紙設定手段Ｃ３は、使用可能印刷用紙サイズ記憶手段Ｃ３Ａと、印刷用紙設定画像表示手段（用紙選択条件指定画像表示手段）Ｃ３Ｂと、印刷用紙設定値記憶手段（用紙選択条件指定記憶手段）Ｃ３Ｃとを有し、節約印刷時に使用する印刷用紙の用紙サイズを指定し、記憶する。
Ｃ３Ａ：使用可能印刷用紙サイズ記憶手段
使用可能印刷用紙サイズ記憶手段Ｃ３Ａは、前記プリンタＰｒで使用可能な印刷用紙のサイズを記憶する。実施の形態１のクライアントパソコンＰＣの使用可能印刷用紙サイズ記憶手段Ｃ３Ａでは、前記プリンタＰｒで使用可能な印刷用紙のサイズであるＡ３，Ａ４，Ａ５，Ｂ４のサイズ情報は、プリンタサーバＰＳの使用可能印刷用紙サイズ記憶手段Ｃ３Ａが記憶する使用可能用紙サイズの情報をローカルネットワークＬＮ経由で入手して記憶している。なお、使用可能な印刷用紙のサイズをユーザが入力装置（キーボードＨ３又はマウスＨ４）で入力・設定した値を記憶するよう構成することも可能である。
【００３８】
Ｃ３Ｂ：印刷用紙設定画像表示手段
印刷用紙設定画像表示手段Ｃ３Ｂは、印刷に使用される前記印刷用紙のサイズを指定するための印刷用紙設定画像（用紙選択条件指定画像）４を前記印刷開始入力画面２に表示する。前記印刷用紙設定画像４は、印刷用紙サイズ（用紙選択条件）を指定するための印刷用紙サイズ指定画像４ａを有している。ユーザがマウスＨ４等の操作により節約印刷設定画面１上を移動可能なポインタで印刷用紙サイズ指定画像４ａを選択することにより、指定可能な印刷用紙サイズの一覧を表示するダイアログボックスが表示される。実施の形態１では、指定可能な印刷用紙サイズとして前記使用可能用紙サイズ記憶手段Ｃ３Ａで記憶された使用可能用紙サイズ又は自動で用紙サイズを設定する「自動」が選択可能になっている。そして、ユーザがマウスＨ４等の操作によりダイアログボックス内のいずれかの用紙サイズを選択することによって、印刷用紙サイズを選択指定できる。なお、前記印刷用紙サイズ指定画像４ａは、スピンコントロールボタンやラジオボタン等により構成することも可能である。
【００３９】
Ｃ３Ｃ：印刷用紙指定値記憶手段
印刷用紙指定値記憶手段Ｃ３Ｃは、ユーザの入力装置（キーボードＨ３、マウスＨ４）による前記印刷用紙指定画像４の印刷用紙サイズ指定画像４ａへの入力により定まる印刷用紙サイズを使用印刷用紙指定サイズ（使用印刷用紙サイズ指定値）として記憶する。なお、実施の形態１の印刷用紙指定値記憶手段Ｃ３Ｃは、プリンタサーバＰＳの処理によって自動的に印刷用紙サイズを設定する「自動」を印刷用紙サイズの初期値として記憶している。
Ｃ４：節約印刷指定手段（用紙選択条件指定手段）
節約印刷指定手段Ｃ４は、節約印刷指定画像表示手段（用紙選択条件指定画像表示手段）Ｃ４Ａと、節約印刷指定記憶手段（用紙選択条件指定記憶手段）Ｃ４Ｂと、節約効果判別枚数指定手段Ｃ４Ｃとを有し、複数ページの元画像を、元画像サイズの整数倍の印刷用紙サイズの前記印刷用紙に複数ページ割り付けて印刷する節約印刷を実行するか否かをユーザの指定に応じて設定する。なお、実施の形態１では、前記節約印刷が指定された場合、印刷された印刷用紙を裁断した際に無駄紙が発生せず且つ印刷コストが最小となるよう印刷用紙サイズが設定される。
【００４０】
Ｃ４Ａ：節約印刷指定画像表示手段
節約印刷指定画像表示手段Ｃ４Ａは、前記節約印刷を実行するか否か（用紙選択条件）を指定するための節約印刷指定画像６（用紙選択条件指定画像、図３参照）を前記節約印刷設定画面１に表示する。
Ｃ４Ｂ：節約印刷指定記憶手段
節約印刷指定記憶手段Ｃ４Ｂは、前記節約印刷指定画像６へのユーザの入力により指定された節約印刷を実行するか否かの指定を記憶する。即ち、ユーザが節約印刷「しない」を指定した場合、節約印刷指定無しを記憶し、節約印刷「する」を指定した場合、節約印刷指定有りを記憶する。なお、実施の形態１では、前記節約印刷の指定の初期値として、節約印刷指定無しを記憶している。
【００４１】
Ｃ４Ｃ：節約効果判別枚数指定手段
節約効果判別枚数指定手段Ｃ４Ｃは、節約効果判別枚数指定画像表示手段（用紙選択条件指定画像表示手段）Ｃ４Ｃ１と、節約効果判別枚数指定値記憶手段（用紙選択条件指定記憶手段）Ｃ４Ｃ２とを有し、節約効果判別枚数（用紙選択条件）をユーザの指定に応じて設定する。前記節約効果判別枚数は、印刷用紙を裁断する手間と印刷コスト節約の効果との関係から、裁断の手間の割りに印刷コストの低減効果が低いとユーザが判断して指定した印刷用紙の枚数であり、元画像のページ数が節約効果判別枚数以下の場合、節約印刷を実行せず通常の印刷を行うよう指定する。
Ｃ４Ｃ１：節約効果判別枚数指定画像表示手段
節約効果判別枚数指定画像表示手段Ｃ４Ｃ１は、ユーザが前記節約効果判別枚数を指定するための節約効果判別枚数指定画像６ａ（用紙選択条件指定画像）を節約印刷設定画面１に表示する。なお、実施の形態１では、節約効果判別枚数指定画像６ａにおいて、ユーザがキーボードＨ３で節約効果判別枚数を直接入力するよう構成されているが、スピンコントロールボタン等により節約効果判別枚数を選択して指定するよう構成することも可能である。
【００４２】
Ｃ４Ｃ２：節約効果判別枚数指定値記憶手段
節約効果判別枚数指定値記憶手段Ｃ４Ｃ２は、前記節約効果判別枚数指定画像６ａにおいてユーザが指定した節約効果判別枚数を節約効果判別枚数指定値として記憶する。なお、実施の形態１の節約効果判別枚数指定値記憶手段Ｃ４Ｃ２は、節約効果判別枚数指定値の初期値として、「３」を記憶している。
Ｃ５：最大用紙サイズ指定手段（用紙選択条件指定手段）
最大用紙サイズ指定手段Ｃ５は、最大用紙サイズ指定画像表示手段（用紙選択条件指定画像表示手段）Ｃ５Ａと、最大用紙サイズ指定有無記憶手段（用紙選択条件指定記憶手段）Ｃ５Ｂと、最大用紙サイズ指定値選択画像表示手段（用紙選択条件指定画像表示手段）Ｃ５Ｃと、最大用紙サイズ指定値記憶手段（用紙選択条件指定記憶手段）Ｃ５Ｄとを有し、節約印刷を実行する際に使用する印刷用紙サイズの最大用紙サイズをユーザの入力に応じて指定する。即ち、印刷用紙が大きすぎる場合に裁断作業が行いにくくなる場合や、使用頻度が低い大きなサイズの印刷用紙に印刷したくない場合等に、ユーザが最大用紙サイズを指定することができる。
【００４３】
Ｃ５Ａ：最大用紙サイズ指定画像表示手段
最大用紙サイズ指定画像表示手段Ｃ５Ａは、前記最大用紙サイズを指定するか否か（用紙選択条件）をユーザの入力に応じて設定するための最大用紙サイズ指定画像７（用紙選択条件指定画像、図３参照）を節約印刷設定画面１に表示する。したがって、ユーザは、前記最大用紙サイズ指定画像７においてマウスＨ４で入力することによって最大用紙サイズを指定するか否かを設定することができる。
Ｃ５Ｂ：最大用紙サイズ指定有無記憶手段
最大用紙サイズ指定有無記憶手段Ｃ５Ｂは、前記最大用紙サイズ指定画像７へのユーザの入力に応じた最大用紙サイズの指定の有無を記憶する。即ち、ユーザが「指定なし」を選択した場合、最大用紙サイズ指定「なし」を記憶し、「指定する」を選択した場合、最大用紙サイズ指定「有り」を記憶する。なお、実施の形態１の最大用紙サイズ指定有無記憶手段Ｃ５Ｂは、最大用紙サイズ指定の初期値として、最大用紙サイズ指定「無し」を記憶している。
【００４４】
Ｃ５Ｃ：最大用紙サイズ指定値選択画像表示手段
最大用紙サイズ指定値選択画像表示手段Ｃ５Ｃは、前記最大用紙サイズ指定画像７への入力によって最大用紙サイズを指定することが選択された場合に、最大用紙サイズ（用紙選択条件）の指定値（「Ａ３」や「Ｂ４」等）を指定するための最大用紙サイズ指定値選択画像７ａ（用紙選択条件指定画像）を前記最大用紙サイズ指定画像７内に表示する。ユーザは最大用紙サイズ指定値選択画像７ａを選択した時に表示されるダイアログボックス内に登録されている定形サイズ（Ａ０，Ａ１，Ｂ０，Ｂ１等）のいずれかを選択入力することにより、最大用紙サイズを指定することができる。
Ｃ５Ｄ：最大用紙サイズ指定値記憶手段
最大用紙サイズ指定値記憶手段Ｃ５Ｄは、前記最大用紙サイズ指定値選択画像７ａへのユーザの選択入力によって指定された最大用紙サイズ（「Ａ３」等）を最大用紙サイズ指定値として記憶する。
【００４５】
Ｃ６：最大裁断回数指定手段（用紙選択条件指定手段）
最大裁断回数指定手段Ｃ６は、最大裁断回数指定画像表示手段（用紙選択条件指定画像表示手段）Ｃ６Ａと、最大裁断回数指定有無記憶手段（用紙選択条件指定記憶手段）Ｃ６Ｂと、最大裁断回数指定値選択画像表示手段（用紙選択条件指定画像表示手段）Ｃ６Ｃと、最大裁断回数指定値記憶手段（用紙選択条件指定記憶手段）Ｃ６Ｄとを有し、前記節約印刷により印刷された印刷用紙を元画像サイズに裁断する際の裁断回数の最大値である最大裁断回数をユーザの入力に応じて指定する。したがって、元画像が印刷された印刷用紙をユーザが裁断する回数が多くなりすぎると手間がかかるため、最大裁断回数の指定により、ユーザが印刷後の用紙を裁断する回数の上限（裁断回数の最大値）を指定できる。
【００４６】
Ｃ６Ａ：最大裁断回数指定画像表示手段
最大裁断回数指定画像表示手段Ｃ６Ａは、前記最大裁断回数を指定するか否か（用紙選択条件）をユーザの入力に応じて設定するための最大裁断回数指定画像８（用紙選択条件指定画像、図３参照）を節約印刷設定画面１に表示する。したがって、ユーザは、前記最大裁断回数指定画像８においてマウスＨ４で選択入力することによって最大裁断回数を指定するか否かを設定することができる。
Ｃ６Ｂ：最大裁断回数指定有無記憶手段
最大裁断回数指定有無記憶手段Ｃ６Ｂは、前記最大裁断回数指定画像８へのユーザの入力に応じた最大裁断回数の指定の有無を記憶する。即ち、ユーザが「指定なし」を選択した場合、最大裁断回数指定「なし」を記憶し、「指定する」を選択した場合、最大裁断回数指定「有り」を記憶する。なお、実施の形態１の最大裁断回数指定有無記憶手段Ｃ６Ｂは、最大裁断回数指定の初期値として、最大裁断回数指定「なし」を記憶する。
【００４７】
Ｃ６Ｃ：最大裁断回数指定値選択画像表示手段
最大裁断回数指定値選択画像表示手段Ｃ６Ｃは、前記最大裁断回数指定画像８への入力によって最大裁断回数（用紙選択条件）を指定することが選択された場合に、最大裁断回数の指定値（「２回」や「１回」等）を指定するための最大裁断回数指定値選択画像８ａ（用紙選択条件指定画像）を前記最大裁断回数指定画像８内に表示する。実施の形態１の前記最大裁断回数指定値選択画像８ａはスピンコントロールボタンにより構成されており、最大裁断回数指定値選択画像８ａ右端部の正三角形又は逆三角形を選択入力することにより、最大裁断回数を増加又は減少させることができる。
Ｃ６Ｄ：最大裁断回数指定値記憶手段
最大裁断回数指定値記憶手段Ｃ６Ｄは、前記最大裁断回数指定値選択画像８ａへのユーザの選択入力によって指定された最大裁断回数（「２回」等）を最大裁断回数指定値として記憶する。
【００４８】
Ｃ７：料金節約優先指定手段（用紙選択条件指定手段）
料金節約優先指定手段Ｃ７は、料金節約優先指定画像表示手段（用紙選択条件指定画像表示手段）Ｃ７Ａと、料金節約優先指定記憶手段（用紙選択条件指定記憶手段）Ｃ７Ｂとを有し、前記節約印刷をする際に、印刷料金（印刷コスト）が最小となる印刷用紙に複数ページの元画像を割り付けて印刷する料金節約優先をユーザの入力に応じて指定する。
Ｃ７Ａ：料金節約優先指定画像表示手段
料金節約優先指定画像表示手段Ｃ７Ａは、前記料金節約優先を指定するか否か（用紙選択条件）を入力するための料金節約優先指定画像９（用紙選択条件指定画像）を節約印刷設定画面１に表示する。実施の形態１の料金節約優先指定画像９はラジオボタンにより構成されているが、チェックボックス等により構成することも可能である。
【００４９】
Ｃ７Ｂ：料金節約優先指定記憶手段
料金節約優先指定記憶手段Ｃ７Ｂは、前記料金節約優先指定画像９への入力に応じた料金節約優先の指定の有無を記憶する。したがって、料金節約優先指定画像９において、料金節約優先を「しない」が指定された場合、料金節約優先指定「無し」を記憶し、料金節約優先を「する」が指定された場合、料金節約優先指定「有り」を記憶する。なお、実施の形態１の料金節約優先指定記憶手段Ｃ７Ｂは、前記料金節約優先指定の初期値として、料金節約優先指定「なし」を記憶する。
【００５０】
Ｃ８：両面印刷指定手段（用紙選択条件指定手段）
両面印刷指定手段Ｃ８は、両面印刷指定画像表示手段（用紙選択条件指定画像表示手段）Ｃ８Ａと、両面印刷指定記憶手段（用紙選択条件指定記憶手段）Ｃ８Ｂとを有し、印刷用紙の両面に画像を印刷する両面印刷を実行するか否かをユーザの入力に応じて指定する。
Ｃ８Ａ：両面印刷指定画像表示手段
両面印刷指定画像表示手段Ｃ８Ａは、両面印刷を実行するか否か（用紙選択条件）をユーザが指定するための両面印刷指定画像１１（図４参照）を印刷開始入力画面２に表示する。なお、実施の形態１では、両面印刷指定画像１１（用紙選択条件指定画像）を印刷開始入力画面２に表示しているが、前記節約印刷設定画面１に表示するよう構成することも可能である。また、実施の形態１では、両面印刷「なし」、「左綴じ」、「上綴じ」の３つしか選択できないが、「右綴じ」や「下綴じ」等を選択可能にすることも可能である。
【００５１】
Ｃ８Ｂ：両面印刷指定記憶手段
両面印刷指定記憶手段Ｃ８Ｂは、前記両面印刷指定画像１１への入力により指定された両面印刷を実行するか否かの指定及び両面印刷を実行する際の綴じ位置の指定を両面印刷指定値として記憶する。したがって、両面印刷指定画像１１において、両面印刷「なし」が選択指定された場合（即ち、片面印刷が指定された場合）、両面印刷指定値として両面印刷指定「無し」を記憶し、「左綴じ」選択指定された場合、両面印刷指定値として両面印刷指定「左綴じ」を記憶する。なお、実施の形態１の両面印刷指定記憶手段Ｃ８Ｂは、両面印刷指定値の初期値として、両面印刷指定「無し」を記憶する。
Ｃ９：Ｎｕｐ印刷指定手段（用紙選択条件指定手段）
Ｎｕｐ印刷指定手段Ｃ９は、Ｎｕｐ印刷指定画像表示手段（用紙選択条件指定画像表示手段）Ｃ９Ａと、Ｎｕｐ印刷指定有無記憶手段（用紙選択条件指定記憶手段）Ｃ９Ｂと、Ｎｕｐ指定値選択画像表示手段（用紙選択条件指定画像表示手段）Ｃ９Ｃと、Ｎｕｐ指定値記憶手段（用紙選択条件指定記憶手段）Ｃ９Ｄとを有し、元画像サイズ１ページ分にＮページ分の元画像を縮小して印刷するＮｕｐ印刷を実行するか否かをユーザの入力に応じて指定する。
【００５２】
Ｃ９Ａ：Ｎｕｐ印刷指定画像表示手段
Ｎｕｐ印刷指定画像表示手段Ｃ９Ａは、Ｎｕｐ印刷を実行するか否か（用紙選択条件）をユーザが指定するためのＮｕｐ印刷指定画像１２（用紙選択条件指定画像、図４参照）を印刷開始入力画面２に表示する。なお、実施の形態１ではＮｕｐ印刷指定画像１２を印刷開始入力画面２に表示しているが、節約印刷設定画面１に表示するよう構成することも可能である。
Ｃ９Ｂ：Ｎｕｐ印刷指定有無記憶手段
Ｎｕｐ印刷指定有無記憶手段Ｃ９Ｂは、前記Ｎｕｐ印刷指定画像１２へのユーザの選択入力に応じてＮｕｐ印刷の指定の有無を記憶する。したがって、ユーザの指定によりＮｕｐ印刷「しない」が選択された場合、Ｎｕｐ印刷指定「無し」が記憶され、Ｎｕｐ印刷「する」が選択された場合、Ｎｕｐ印刷指定「有り」が記憶される。なお、実施の形態１のＮｕｐ印刷指定有無記憶手段Ｃ９Ｂは、Ｎｕｐ印刷指定の初期値として、Ｎｕｐ印刷指定「無し」を記憶する。
【００５３】
Ｃ９Ｃ：Ｎｕｐ指定値選択画像表示手段
Ｎｕｐ指定値選択画像表示手段Ｃ９Ｃは、Ｎｕｐ印刷を実行することが指定された場合に、Ｎｕｐの指定値（実施の形態１では、「２ｕｐ」、「４ｕｐ」、「８ｕｐ」のいずれか）を指定するためのＮｕｐ指定値選択画像１２ａをＮｕｐ印刷指定画像１２内に表示する。
Ｃ９Ｄ：Ｎｕｐ指定値記憶手段
Ｎｕｐ指定値記憶手段Ｃ９Ｄは、前記Ｎｕｐ指定値選択画像１２ａへのユーザの選択入力によって指定されたＮｕｐ指定値（「２ｕｐ」等）をＮｕｐ指定値として記憶する。
【００５４】
（印刷データ作成プログラムＰ２の機能）
Ｃ２１：印刷データ作成手段
印刷データ作成手段Ｃ２１は、前記元画像記憶手段Ｃ１で記憶された元画像の画像データ及び元画像サイズと、節約印刷指定記憶手段Ｃ４Ｂで記憶された節約印刷を実行するか否かの指定を示す節約印刷指定データ（用紙選択条件指定データ）とを含む印刷データを作成する。なお、実施の形態１では、前記印刷用紙指定値記憶手段Ｃ３Ｃで記憶された印刷用紙サイズ指定値（用紙選択条件指定データ）と、前記節約効果判別枚数指定値記憶手段Ｃ４Ｃ２で記憶された節約効果判別枚数指定値（用紙選択条件指定データ）と、前記最大用紙サイズ指定有無記憶手段Ｃ５Ｂで記憶された最大用紙サイズの指定の有無を示す最大用紙サイズ指定データ（用紙選択条件指定データ）と、最大用紙サイズ指定値記憶手段Ｃ５Ｄで記憶された最大用紙サイズ指定値（用紙選択条件指定データ）と、最大裁断回数指定有無記憶手段Ｃ６Ｂで記憶された最大裁断回数の指定の有無を示す最大裁断回数指定データ（用紙選択条件指定データ）と、最大裁断回数指定値記憶手段Ｃ６Ｃで記憶された最大裁断回数指定値（用紙選択条件指定データ）と、料金節約優先指定記憶手段Ｃ７Ｂで記憶された料金節約優先の指定の有無を示す料金節約優先指定データ（用紙選択条件指定データ）と、両面印刷指定記憶手段Ｃ８Ｂで記憶された両面印刷を実行するか否か又は両面印刷の綴じ位置を示す両面印刷指定値（用紙選択条件指定データ）と、Ｎｕｐ印刷指定有無記憶手段Ｃ９Ｂで記憶されたＮｕｐ印刷を実行するか否かを示すＮｕｐ印刷指定データ（用紙選択条件指定データ）と、Ｎｕｐ指定値記憶手段Ｃ９Ｄで記憶されたＮｕｐ指定値（用紙選択条件指定データ）とをさらに含む印刷データを作成する。さらに、実施の形態１の印刷データは、保持ジョブの指定があるか否かを示す保持ジョブ指定データ（用紙選択条件指定データ）を含む。
【００５５】
Ｃ２２：印刷データ送信手段
印刷データ送信手段Ｃ２２は、前記印刷データ作成手段Ｃ２１で作成した印刷データをプリンタサーバＰＳに送信する。
なお、実施の形態１では、ワークステーションＷＳ、データベースサーバＤＢＳ等は、前記クライアントＰＣと異なり機能実現手段Ｃ１〜Ｃ２２等を有していない。しかしながら、前記ワークステーションＷＳ、データベースサーバＤＢＳ等が各機能実現手段Ｃ１〜Ｃ２２を備えるよう構成可能なことは言うまでもない。
【００５６】
（プリンタサーバＰＳの機能）
図５は前記図１に示す印刷処理システムのプリンタサーバ及びプリンタの機能をブロック図（機能ブロック図）で示した図である。
プリンタサーバＰＳのコンピュータ本体Ｄ１（図１参照）は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクドライブ、ＲＡＭまたはＲＯＭに記憶されたプログラムに応じた処理を行うＣＰＵ（中央演算処理装置）、ならびにクロック発振器等を有している。
前記構成のプリンタサーバＰＳは、前記ハードディスクドライブ、ＲＡＭまたはＲＯＭに記憶されたプログラムを実行することにより種々の機能を実現することができる。
【００５７】
図５において、前記プリンタサーバ（印刷処理装置、画像処理装置）ＰＳの印刷情報処理手段Ｐ３は、次の各機能実現手段（プログラムモジュール）を有している。
Ｃ３１：受信印刷データ記憶手段
受信印刷データ記憶手段Ｃ３１は、前記印刷データ送信手段Ｃ２２によって送信された送信用印刷データを受信したときに受信印刷データとして記憶する。実施の形態１では、前記受信印刷データには、印刷対象となる元画像の画像データと、前記各用紙選択条件指定データ（節約印刷指定データ等）とが含まれる。
【００５８】
図６は本発明の印刷情報処理手段の機能実現手段によってプリンタサーバのディスプレイに表示されるメイン画面の説明図である。
Ｃ３２：メイン画面表示手段
メイン画面表示手段Ｃ３２は、ディスプレイＤ２に印刷の進行状況等を表示するためのメイン画面１６（図６参照）を表示する。図６において、前記メイン画面１６には、印刷実行中の印刷ジョブを示す印刷ジョブ表示画像１６ａと、現在印刷中の印刷画像を表示するプレビュー画面１６ｂと、現在印刷中の印刷ジョブの状況（何ページ印刷ジョブが残っているか等）を表示する印刷状況表示画像１６ｃと、印刷がまだ実行されていない印刷ジョブやジョブ保持指定がされた印刷ジョブを表示する保持ジョブ表示画像１６ｄと、印刷ジョブを実行しようとしたが用紙のサイズが一致しない等の理由によりエラーとなった印刷ジョブを表示するエラージョブ表示画像１６ｅと、印刷開始やジョブ消去等の作業アイコンが表示される作業アイコン表示画像１６ｆとを有している。
【００５９】
Ｐ１：印刷パラメータ設定プログラム
印刷パラメータ設定プログラムＰ１は、前記クライアントパソコンＰＣの印刷パラメータ設定プログラムＰ１と同様に構成されており、同様の機能実現手段Ｃ１〜Ｃ９を備えている。そして、前記メイン画面１６の保持ジョブ表示画像１６ｄまたはエラージョブ表示画像１６ｅにおいて選択されたジョブの節約印刷設定が選択された場合、印刷パラメータ設定プログラムＰ１の各機能実現手段Ｃ１〜Ｃ９により、節約印刷設定画面１等がディスプレイＤ２に表示される。
【００６０】
Ｃ３３：表示制御手段
表示制御手段Ｃ３３は、前記メイン画面１６や節約印刷設定画面１等のディスプレイＤ２に表示される画像の表示の切替等を制御する。
Ｃ３４：印刷指定処理手段
印刷指定処理手段Ｃ３４は、節約印刷指定判別手段Ｃ３４Ａと、ジョブ保持処理手段Ｃ３４Ｂと、エラー処理手段Ｃ３４Ｃとを有し、受信印刷データの印刷ジョブを実行する際の指定（節約印刷の指定やジョブ保持の指定等）を判別して処理する。
【００６１】
Ｃ３４Ａ：節約印刷指定判別手段
節約印刷指定判別手段Ｃ３４Ａは、受信印刷データが節約印刷するよう指定されているか否かを判別する。実施の形態１では、受信印刷データに含まれる節約印刷指定データに基づいて判別する。
Ｃ３４Ｂ：ジョブ保持処理手段
ジョブ保持処理手段Ｃ３４Ｂは、受信印刷データがジョブ保持指定されているか否かを判別するジョブ保持指定判別手段Ｃ３４Ｂ１と、ジョブ保持指定された印刷ジョブの受信印刷データ（画像データ）を保持（記憶）する保持ジョブ画像データ記憶手段Ｃ３４Ｂ２と、選択された保持ジョブの消去する保持ジョブ消去手段Ｃ３４Ｂ３とを有する。
【００６２】
Ｃ３４Ｃ：エラー処理手段
エラー処理手段Ｃ３４Ｃは、元画像サイズに対応する印刷用紙が使用可能ではない等の場合に実行できない印刷ジョブ（エラージョブ）であると判別するエラージョブ判別手段Ｃ３４Ｃ１と、エラージョブと判別された際に印刷ジョブの受信印刷データをエラージョブデータとして保持する（記憶する）エラージョブデータ記憶手段Ｃ３４Ｃ２とを有する。
【００６３】
Ｃ３５：使用可能印刷用紙サイズ設定手段
使用可能印刷用紙サイズ設定手段Ｃ３５は、印刷用紙サイズ算出テーブル記憶手段Ｃ３５Ａと、割付対象ページ数・料金節約用紙テーブル記憶手段Ｃ３５Ｂと、使用可能最大用紙サイズ算出手段Ｃ３５Ｃと、使用可能用紙サイズリスト作成手段Ｃ３５Ｄとを有する。そして、使用可能印刷用紙サイズ設定手段Ｃ３５は、前記使用可能印刷用紙サイズ記憶手段Ｃ３Ａで記憶された印刷用紙サイズと、印刷対象の元画像サイズと、各用紙選択条件とに応じて、前記元画像サイズの整数倍の大きさの使用可能な印刷用紙サイズを設定する。なお、実施の形態１の使用可能印刷用紙サイズ設定手段Ｃ３５は、前記最大用紙サイズの指定がある場合には、最大用紙サイズ指定値を超えない範囲且つ前記元画像サイズの整数倍の大きさの使用可能な印刷用紙サイズを設定する。また、前記最大裁断回数の指定がある場合には、元画像サイズと最大裁断回数指定値とに応じて、節約印刷後の印刷用紙を裁断する回数が前記最大裁断回数を超えない範囲且つ前記元画像サイズの整数倍の大きさの使用可能な印刷用紙サイズを設定する。さらに、複数ページの元画像のページ数が節約効果判別ページ数より大きいか否かを判別も行う。
【００６４】
Ｃ３５Ａ：印刷用紙サイズ算出テーブル記憶手段
印刷用紙サイズ算出テーブル記憶手段Ｃ３５Ａは、裁断回数指定値や最大用紙サイズ指定値に応じて、節約印刷時に使用可能な最大の印刷用紙サイズ（最大用紙サイズ）を算出可能且つ、元画像サイズに応じて整数倍の大きさの印刷用紙サイズを算出可能な印刷用紙サイズ算出テーブル（後述の図１１参照）を記憶する。なお、実施の形態１では、印刷用紙サイズ算出テーブルを使用して整数倍の大きさの印刷用紙サイズを算出したが、テーブルを使用せずにプログラム等により最大裁断回数指定値または最大用紙サイズ指定値に基づいて整数倍の大きさの印刷用紙サイズを自動算出するよう構成することも可能である。
【００６５】
Ｃ３５Ｂ：割付対象ページ数・料金節約用紙テーブル記憶手段（印刷料金記憶手段）
割付対象ページ数・料金節約用紙テーブル記憶手段Ｃ３５Ｂは、印刷用紙サイズとカラー・白黒の属性に応じて予め設定された料金表（印刷コスト表、後述の図１３Ｂ参照）と、料金節約優先を実行する際に最小の印刷コストになるように前記料金表に基づいて設定された料金節約用紙を算出可能な割付対象ページ数・料金節約用紙テーブル（後述の図１３Ａ参照）を記憶する。なお、実施の形態１では、テーブルを使用して料金節約用紙を算出したが、前記印刷用紙サイズに元画像を印刷する際に必要な印刷料金（印刷コスト）を印刷用紙サイズ毎に記憶しておき、元画像のページ数に応じて、印刷用紙サイズ毎にその都度印刷コストを計算して、印刷コストが最小になる印刷用紙（料金節約用紙）を選択するよう構成することも可能である。
【００６６】
Ｃ３５Ｃ：使用可能最大用紙サイズ算出手段
使用可能最大用紙サイズ算出手段Ｃ３５Ｃは、前記最大裁断回数指定値または最大用紙サイズ指定値に基づいて、印刷用紙サイズ算出テーブルから、節約印刷時に使用可能な最大の印刷用紙サイズ（最大用紙サイズ）を算出する。即ち、最大用紙サイズの指定がある場合、最大用紙サイズ指定値により指定された最大用紙サイズを超えない範囲で最大の用紙サイズを算出し、使用可能最大用紙サイズとして設定する。また、最大裁断回数の指定がある場合には、最大裁断回数指定値により指定された最大裁断回数を超えない範囲で最大の用紙サイズを算出し、使用可能最大用紙サイズとして設定する。
【００６７】
Ｃ３５Ｄ：使用可能用紙サイズリスト作成手段
使用可能用紙サイズリスト作成手段Ｃ３５Ｄは、使用可能最大用紙サイズ算出手段Ｃ３５Ｃで最大用紙サイズが設定されている場合、前記最大用紙サイズと、プリンタＰｒで使用可能な印刷用紙サイズと、元画像サイズに基づいて、最大用紙サイズを超えない範囲で元画像サイズの整数倍の大きさの印刷用紙サイズをリストアップした使用可能用紙サイズリストを作成する。最大用紙サイズが設定されていない場合は、プリンタＰｒで使用可能な印刷用紙サイズと、元画像サイズに基づいて、元画像サイズの整数倍の大きさの印刷用紙サイズをリストアップした使用可能用紙サイズリストを作成する。
【００６８】
Ｃ３６：片面印刷時元画像割付設定手段
片面印刷時元画像割付設定手段Ｃ３６は、片面印刷時割付対象ページ数カウント手段Ｃ３６Ａと、片面印刷時割付対象ページ数記憶手段Ｃ３６Ｂと、片面印刷時印刷用紙サイズ設定手段Ｃ３６Ｃと、片面印刷時元画像割付手段Ｃ３６Ｄとを有し、片面印刷・節約印刷が指定された場合に、元画像サイズや使用可能な印刷用紙サイズ、白黒・カラー属性等から印刷用紙サイズを設定し、設定された印刷用紙サイズにページを割り付ける。
Ｃ３６Ａ：片面印刷時割付対象ページ数カウント手段
片面印刷時割付対象ページ数カウント手段Ｃ３６Ａは、複数ページの元画像の各ページの白黒・カラーの属性及び元画像サイズに基づいて、先頭ページと同一の属性（白黒又はカラーと元画像サイズ）のページの数をカウントする。
【００６９】
Ｃ３６Ｂ：片面印刷時割付対象ページ数記憶手段
片面印刷時割付対象ページ数記憶手段Ｃ３６Ｂは、前記片面印刷時割付対象ページ数カウント手段Ｃ３６Ａでカウントされたカウント値を、まだ割り付けが行われていない（即ち、まだ印刷されていない）割り付け可能なページ数である片面印刷時割付対象ページ数として記憶する。
Ｃ３６Ｃ：片面印刷時印刷用紙サイズ設定手段
片面印刷時印刷用紙サイズ設定手段Ｃ３６Ｃは、前記使用可能印刷用紙サイズ設定手段Ｃ３５によって設定された整数倍の前記印刷用紙サイズが複数ある場合に、片面印刷時割付対象ページ数（元画像の残りページ数）と、前記用紙選択条件（料金節約優先の指定等）とに応じて、前記元画像が印刷される印刷用紙サイズを決定する。なお、実施の形態１では、料金節約優先が指定されていない場合、前記割付対象ページ数が、判別対象の印刷用紙サイズ（判別用紙サイズ）に割付可能な最大ページ数（即ち、整数倍の印刷用紙サイズの整数の値）以下となる印刷用紙サイズが設定される。また、料金節約優先が指定されている場合、割付対象ページ数が最大用紙サイズに割付可能なページ数以下の場合に、割付対象ページ数と割付対象ページ数・料金節約用紙テーブル（後述の図１３Ａ参照）とから印刷用紙サイズが設定される。
【００７０】
Ｃ３６Ｄ：片面印刷時元画像割付手段
片面印刷時元画像割付手段Ｃ３６Ｄは、印刷用紙サイズ設定手段Ｃ３６Ｃで設定された印刷用紙サイズの印刷用紙１枚に複数ページの前記元画像を割り付ける。なお、実施の形態１では、料金節約優先が指定されている場合、割付対象ページ全てが割り付けられ、料金節約優先が指定されていない場合、判別用紙サイズの割付可能最大ページ数に応じた割付対象ページが割り付けられる。
Ｃ３７：両面印刷時元画像割付設定手段
両面印刷時元画像割付設定手段Ｃ３７は、両面属性パラメータ作成手段Ｃ３７Ａと、両面印刷時割付対象ページ数カウント手段Ｃ３７Ｂと、両面印刷時割付対象ページ数記憶手段Ｃ３７Ｃと、両面印刷時印刷用紙サイズ設定手段Ｃ３７Ｄと、両面印刷時元画像割付手段Ｃ３７Ｅとを有する。そして、両面印刷時元画像割付設定手段Ｃ３７は、両面・節約印刷が指定された場合に、元画像サイズや使用可能な印刷用紙サイズ、白黒・カラー属性等から印刷用紙サイズを設定し、設定された印刷用紙の表裏にページを割り付ける。
【００７１】
Ｃ３７Ａ：両面属性パラメータ作成手段
両面属性パラメータ作成手段Ｃ３７Ａは、カラー・白黒の属性または元画像サイズの属性が同一でない複数ページの元画像に対して、先頭ページから順に２ページずつの組を印刷用紙の表裏に印刷される１組の割付対象ページとみなし、各割付対象ページの属性（カラー・白黒及び元画像サイズ）をパラメータとする両面属性パラメータを割付対象ページ毎に作成する。
Ｃ３７Ｂ：両面印刷時割付対象ページ数カウント手段
両面印刷時割付対象ページ数カウント手段Ｃ３７Ｂは、前記両面属性パラメータに基づいて、割付対象ページの先頭ページの前記両面属性パラメータと同一又は割付対象ページの表裏を逆にした場合の両面属性パラメータと同一となる割付対象ページの数をカウントする。
【００７２】
Ｃ３７Ｃ：両面印刷時割付対象ページ数記憶手段
両面印刷時割付対象ページ数記憶手段Ｃ３７Ｃは、片面印刷時割付対象ページ数記憶手段Ｃ３６Ｂと同様に、前記両面印刷時割付対象ページ数カウント手段Ｃ３７Ｂがカウントしたカウント値を、まだ割り付けが行われていない割り付け可能なページ数である両面印刷時割付対象ページ数（即ち、元画像の残りページ数）として記憶する。
Ｃ３７Ｄ：両面印刷時印刷用紙サイズ設定手段
両面印刷時印刷用紙サイズ設定手段Ｃ３７Ｄは、片面印刷時印刷用紙サイズ設定手段Ｃ３６Ｃと同様に、前記使用可能印刷用紙サイズ設定手段Ｃ３５によって設定された整数倍の前記印刷用紙サイズが複数ある場合に、両面印刷時割付対象ページ数と、前記用紙選択条件（料金節約優先の指定等）とに応じて、前記元画像が印刷される印刷用紙サイズを決定する。
【００７３】
Ｃ３７Ｅ：両面印刷時元画像割付手段
両面印刷時元画像割付手段Ｃ３７Ｅは、前記片面印刷時元画像割付手段Ｃ３６Ｄと同様に、両面印刷時印刷用紙サイズ設定手段Ｃ３７Ｄで設定された印刷用紙サイズの印刷用紙１枚に複数ページの前記元画像を割り付ける（後述の図２１〜図２４参照）。
Ｃ３８：Ｎｕｐ印刷時元画像割付設定手段
Ｎｕｐ印刷時元画像割付設定手段Ｃ３８は、Ｎｕｐ属性パラメータ作成手段Ｃ３８Ａと、Ｎｕｐ印刷時割付対象ページ数カウント手段Ｃ３８Ｂと、Ｎｕｐ印刷時割付対象ページ数記憶手段Ｃ３８Ｃと、Ｎｕｐ印刷時印刷用紙サイズ設定手段Ｃ３８Ｄと、Ｎｕｐ印刷時元画像割付手段Ｃ３８Ｅとを有する。そして、Ｎｕｐ印刷時元画像割付設定手段Ｃ３８は、Ｎｕｐ印刷且つ節約印刷が指定された場合に、元画像サイズや使用可能な印刷用紙サイズ、白黒・カラー属性等から印刷用紙サイズを設定し、設定された印刷用紙にＮｕｐされたページを複数を割り付ける。
【００７４】
Ｃ３８Ａ：Ｎｕｐ属性パラメータ作成手段
Ｎｕｐ属性パラメータ作成手段Ｃ３８Ａは、カラー・白黒の属性が同一でない複数ページの元画像に対して、先頭ページから順にＮｕｐ後のページを割付対象ページとみなす。例えば、４ｕｐの場合、元画像の第１ページ〜第４ページをＮｕｐ後の先頭ページ（即ち、割付対象ページの第１ページ）とみなし、元画像の第５ページ〜第８ページをＮｕｐ後の第２ページとみなす。そして、各割付対象ページの属性（カラー・白黒の属性）をパラメータとするＮｕｐ属性パラメータを割付対象ページ毎に作成する。実施の形態１のＮｕｐ属性パラメータ作成手段Ｃ３８Ａは、例えば、４ｕｐの場合、元画像の第１ページ〜第４ページのうち１つでもカラーのページがあれば、Ｎｕｐ後の先頭ページのＮｕｐ属性パラメータはカラーに設定する。なお、元画像４ページのうち、３ページが白黒、１ページがカラーの場合に、ページ数の多い白黒をＮｕｐ属性パラメータとするよう設定することも可能である。
【００７５】
Ｃ３８Ｂ：Ｎｕｐ印刷時割付対象ページ数カウント手段
Ｎｕｐ印刷時割付対象ページ数カウント手段Ｃ３８Ｂは、前記Ｎｕｐ属性パラメータに基づいて、割付対象ページの先頭ページの前記Ｎｕｐ属性パラメータと同一の割付対象ページの数をカウントする。
Ｃ３８Ｃ：Ｎｕｐ印刷時割付対象ページ数記憶手段
Ｎｕｐ印刷時割付対象ページ数記憶手段Ｃ３８Ｃは、片面印刷時割付対象ページ数記憶手段Ｃ３６Ｂと同様に、前記Ｎｕｐ印刷時割付対象ページ数カウント手段Ｃ３８Ｂがカウントしたカウント値を、まだ割り付けが行われていない割り付け可能なページ数であるＮｕｐ印刷時割付対象ページ数（即ち、元画像の残りページ数）として記憶する。
【００７６】
Ｃ３８Ｄ：Ｎｕｐ印刷時印刷用紙サイズ設定手段
Ｎｕｐ印刷時印刷用紙サイズ設定手段Ｃ３８Ｄは、片面印刷時印刷用紙サイズ設定手段Ｃ３６Ｃと同様に、前記使用可能印刷用紙サイズ設定手段Ｃ３５によって設定された整数倍の前記印刷用紙サイズが複数ある場合に、Ｎｕｐ印刷時割付対象ページ数と、前記用紙選択条件（料金節約優先の指定等）とに応じて、前記元画像が印刷される印刷用紙サイズを決定する。
Ｃ３８Ｅ：Ｎｕｐ印刷時元画像割付手段
Ｎｕｐ印刷時元画像割付手段Ｃ３８Ｅは、前記片面印刷時元画像割付手段Ｃ３６Ｄと同様に、Ｎｕｐ印刷時印刷用紙サイズ設定手段Ｃ３８Ｄで設定された印刷用紙サイズの印刷用紙１枚にＮｕｐ後の割付対象ページを割り付ける（後述の図２９参照）。
【００７７】
Ｃ３９：印刷画像データ作成手段
印刷画像データ作成手段Ｃ３９は、前記各元画像割付手段Ｃ３６Ｄ，Ｃ３７Ｅ，Ｃ３８Ｅによる割り付けに基づいて印刷用画像データを作成する。
Ｃ４０：印刷制御手段（プリンタコントローラ）
印刷制御手段Ｃ４０は、前記印刷画像データ作成手段Ｃ３９によって作成された印刷用画像データをプリンタＰｒに送信して、各印刷用紙サイズ設定手段Ｃ３６Ｃ，Ｃ３７Ｄ，Ｃ３８Ｄによって設定された印刷用紙に印刷するようにプリンタ（印刷装置、画像処理装置）Ｐｒの動作を制御する。
【００７８】
（プリンタの機能）
図５において、プリンタＰｒは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ＲＡＭまたはＲＯＭに記憶されたプログラムに応じた処理を行うＣＰＵ（中央演算処理装置）、ならびにクロック発振器等を有している。
前記構成のプリンタＰｒは、前記ハードディスクドライブ、ＲＡＭまたはＲＯＭに記憶されたプログラムを実行することにより種々の機能を実現することができる。
【００７９】
前記プリンタ（印刷装置、画像処理装置）Ｐｒは、次の機能実現手段（機能実現処理、プログラムモジュール）を有している。
Ｃ４１：画像記録手段
画像記録手段Ｃ４１は、印刷制御手段Ｃ４０の制御に従って、前記プリンタサーバＰＳから送信された前記印刷用画像データを設定された印刷用紙に印刷する。
【００８０】
（実施の形態１のフローチャートの説明）
（クライアントパソコンのフローチャート）
図７は本発明の実施の形態１の印刷処理システムのクライアントパソコンにおける印刷設定処理のフローチャートである。
図７のフローチャートの各ＳＴ（ステップ）の処理は、前記クライアントパソコンＰＣのＣＰＵの処理に従って実行される。
【００８１】
図７のＳＴ１において、クライアントパソコンＰＣのアプリケーションプログラムＡＰにおいて、印刷処理開始が選択されたか否かを判別する。ノー（Ｎ）の場合はＳＴ１を繰り返し、イエス（Ｙ）の場合はＳＴ２に移る。
ＳＴ２において、前記図４に示す印刷開始入力画面２をディスプレイＨ２に表示する。そしてＳＴ３に移る。
ＳＴ３において、印刷開始入力画面２において「印刷開始」が選択されたか否かを判別する。ノー（Ｎ）の場合はＳＴ４に移り、イエス（Ｙ）の場合はＳＴ９に移る。
ＳＴ４において、印刷開始入力画面２において「キャンセル」が選択されたか否かを判別する。ノー（Ｎ）の場合はＳＴ５に移り、イエス（Ｙ）の場合はＳＴ１０に移る。
【００８２】
ＳＴ５において、図４に示す印刷開始入力画面２において印刷範囲、印刷部数、両面印刷の指定、ジョブ保持の指定等の入力や、印刷開始入力画面２の「オプション」選択時に表示されるオプション設定画面において給紙トレイＴＲ、ＴＲ０（図１参照）の指定や排紙トレイＴＲｈ１，ＴＲｈ２の指定等の入力があったか否かを判別する。イエス（Ｙ）の場合はＳＴ６に移り、ノー（Ｎ）の場合はＳＴ７に移る。
ＳＴ６において、印刷開始入力画面２においてされた印刷範囲等の入力のデータを入力データ用の一時記憶手段（ＲＡＭ等）で記憶し、前記入力に応じて印刷開始入力画面２の表示を更新する。そして、ＳＴ３に戻る。
ＳＴ７において、印刷開始入力画面２において「節約印刷の設定」が選択されたか否かを判別する。ノー（Ｎ）の場合はＳＴ３に戻り、イエス（Ｙ）の場合はＳＴ８に移る。
ＳＴ８において、節約印刷設定処理（後述の図８のサブルーチン参照）を実行して、節約印刷を実行するか否かの指定や料金節約優先の指定等を行い、各指定を一時記憶する。そして、ＳＴ３に戻る。
【００８３】
ＳＴ９において、ＳＴ３で「印刷開始」が選択されたので、前記ＳＴ５で入力され、ＳＴ６で一時記憶された入力データに応じた元画像データ及び両面印刷指定データ等の用紙選択条件指定データと、ＳＴ８において指定された節約印刷用の用紙選択条件指定データとを含む送信用印刷データを前記印刷データ作成手段Ｃ２１で作成し、印刷データ送信手段Ｃ２２によってプリンタサーバＰＳに送信する。そして、印刷開始入力画面２を閉じ、ＳＴ１に戻り、印刷処理開始が選択されるまで待機する。
ＳＴ１０において、印刷開始入力画面２において「キャンセル」が選択されたので、前記ＳＴ６やＳＴ８で一時記憶された各設定値、指定値を消去する（破棄する）。そして、図４に示す印刷開始入力画面２を閉じ、ＳＴ１に戻り、印刷処理開始が選択されるまで待機する。
【００８４】
したがって、前記ＳＴ１〜ＳＴ１０の処理によって、クライアントパソコンＰＣでは、印刷範囲等の設定や節約印刷の指定等が行われ、前記各指定に基づいた元画像データと、節約印刷の指定等の印刷パラメータを含む送信用印刷データが作成され、プリンタサーバＰＳに送信される。
【００８５】
（節約印刷設定処理の説明）
図８は、前記図７の印刷設定処理の節約印刷設定処理のサブルーチンのフローチャートである。
図８のＳＴ２１において、前記図３に示す節約印刷設定画面１をディスプレイＨ２に表示し、ＳＴ２２に移る。
ＳＴ２２において、節約印刷設定画面１において「ＯＫ」を選択する入力があったか否かを判別する。ノー（Ｎ）の場合はＳＴ２３に移り、イエス（Ｙ）の場合はＳＴ２６に移る。
ＳＴ２３において、前記節約印刷設定画面１において「キャンセル」を選択する入力があったか否かを判別する。ノー（Ｎ）の場合はＳＴ２４に移り、イエス（Ｙ）の場合はＳＴ２７に移る。
【００８６】
ＳＴ２４において、前記節約印刷設定画面１において節約印刷を実行するか否かの指定を変更する入力や、最大裁断回数の指定値を変更する入力等がされたか否かを判別する。イエス（Ｙ）の場合はＳＴ２５に移り、ノー（Ｎ）の場合はＳＴＳＴ２２に戻る。
ＳＴ２５において、次の処理（１）、（２）を実行する。
（１）前記ＳＴ２４において変更入力された指定値（節約印刷を実行することを指定する節約印刷有無指定値等）を一時記憶する。
（２）前記変更に応じて節約印刷設定画面１の表示を更新する。
そして、ＳＴ２２に戻る。
【００８７】
ＳＴ２６において、前記節約印刷設定画面１において「ＯＫ」が選択されたので、それまで記憶されていた各指定値を、前記ＳＴ２５で一時記憶された各指定値に更新する。そして、図８の節約印刷設定処理を終了して、図７のＳＴ８に戻る。
ＳＴ２７において、前記節約印刷設定画面１において「キャンセル」が選択されたので、前記ＳＴ２５で一時記憶された各指定値のデータを破棄する（消去する）。そして、図８の節約印刷設定処理を終了して、図７のＳＴ８に戻る。
【００８８】
したがって、前記ＳＴ２１〜ＳＴ２６の節約印刷設定処理によって、節約印刷設定画面１に対するユーザの入力装置（キーボードＨ３やマウスＨ４）による入力に応じて、節約印刷の指定等の節約印刷時の用紙選択条件が指定される。
【００８９】
（プリンタサーバのフローチャート）
図９は本発明の実施の形態１の印刷処理システムのプリンタサーバにおける処理のメインフローチャートである。
図９のフローチャートの各ＳＴ（ステップ）の処理は、前記プリンタサーバＰＳのＣＰＵの処理に従って実行される。
図９のフローチャートは、プリンタサーバＰＳの電源がオンになった時に開始される。
【００９０】
図９のＳＴ１０１において、前記図６に示すメイン画面１６を表示し、ＳＴ１０２に移る。
ＳＴ１０２において、クライアントパソコンＰＣからの送信用印刷データを受信したか否か（データ入力があったか否か）を判別する。イエス（Ｙ）の場合はＳＴ１０３に移り、ノー（Ｎ）の場合はＳＴ１１２に移る。なお、このとき、受信した印刷データの情報（印刷データを送信したクライアントパソコンＰＣの識別情報や、受信した日時、全ページ数等）がメイン画面１６の保持ジョブ表示画像１６ｄに受信した順にリスト表示される。
ＳＴ１０３において、受信印刷データ（ジョブ）がジョブ保持指定されているか否かを判別する。イエス（Ｙ）の場合はＳＴ１０４に移り、ノー（Ｎ）の場合はＳＴ１０６に移る。
【００９１】
ＳＴ１０４において、受信印刷データがジョブ保持指定されているので、受信印刷データをジョブ保持用メモリにコピーする。なお、このとき、メイン画面１６の保持ジョブ表示画像１６ｄにリスト表示された受信印刷データのうち、ジョブ保持が指定された印刷データにはジョブ保持指定がされたことを表示するためにチェックボックスにチェックが付される。
そしてＳＴ１０５に移る。
ＳＴ１０５において、ジョブ保持指定された受信印刷データが印刷するよう指定されているか否かを判別する。イエス（Ｙ）の場合はＳＴ１０６に移り、ノー（Ｎ）の場合はＳＴ１０８に移る。即ち、印刷データを送信する際に節約印刷の設定ができない実施の形態１のワークステーションＷＳ等から節約印刷を実行したい場合、印刷データ送信時にジョブの保持の指定をし且つ印刷しないよう指定することで、プリンタサーバの節約印刷設定画面１で節約印刷の設定をして節約印刷することができる。
【００９２】
したがって、前記ＳＴ１０２〜ＳＴ１０５の処理によって、受信印刷データにジョブ保持の指定及び印刷の指定が含まれているか判別され、ジョブ保持の処理（ＳＴ１０４）が実行され、これに伴いメイン画面１６の表示が更新される。プリンタサーバＰＳのメイン画面１６において、受信印刷データは受信した順に保持ジョブ表示画像１６ｄにリスト表示され、受信時期の古い印刷データから順に印刷される。印刷される際には、印刷ジョブ表示画像１６ａの部分に受信印刷データの情報が表示されるよう印刷ジョブ表示画像１６ａが更新される。ジョブ保持の指定がされていない場合、印刷時に、印刷ジョブ表示画像１６ａに情報が表示されると共に、保持ジョブ表示画像１６ｄのリストから印刷される受信印刷データの情報が消去される。
【００９３】
ＳＴ１０６において、印刷される受信印刷データに節約印刷を実行する指定があるか否か（即ち、印刷される受信印刷データに節約印刷指定データが含まれているか否か）を判別する。イエス（Ｙ）の場合はＳＴ１０７に移り、ノー（Ｎ）の場合はＳＴ１０９に移る。
ＳＴ１０７において、元画像のページ数やカラー・白黒の属性、印刷用紙の一枚当たりの印刷料金等に基づいて、印刷用紙サイズや１枚の印刷用紙に割り付けるページ数等を自動的に演算し、各印刷用紙に印刷される印刷画像データを作成してプリンタＰｒに送信する節約印刷処理（後述の図１０のサブルーチン参照）が実行される。そして、ＳＴ１０８に移る。
ＳＴ１０８において、プリンタサーバの電源がオフになったか否かを判別する。イエス（Ｙ）の場合はプリンタサーバにおける処理を終了し、ノー（Ｎ）の場合はＳＴ１０２に戻り、クライアントパソコンＰＣ等からの入力（送信用印刷データの受信）や、プリンタサーバＰＳの入力装置（キーボードＤ３やマウスＤ４）によるユーザの入力を待つ。
【００９４】
ＳＴ１０９において、画像サイズ（元画像サイズ）に対応する印刷用紙が使用可能であるか否かを判別する。例えば、元画像がＡ３サイズである場合に、Ａ３の印刷用紙が使用可能であるか否か（プリンタＰｒでＡ３が使用可能な用紙として認識されているか、給紙トレイＴＲ内の用紙が無くなっていないか等）を判別する。イエス（Ｙ）の場合はＳＴ１１０に移り、ノー（Ｎ）の場合はＳＴ１１１に移る。
ＳＴ１１０において、画像サイズに応じた印刷画像データが作成されプリンタに送信される。即ち、画像サイズに対応する印刷用紙が使用可能であるので、節約印刷されず通常の印刷が行われる。この印刷画像データを受信したプリンタＰｒでは、画像サイズに対応する印刷用紙に受信した印刷画像データが印刷される。そして、前記ＳＴ１０８に移る。
ＳＴ１１１において、次の処理（１）、（２）が実行される。
（１）印刷対象の受信印刷データをエラージョブとして登録する。
（２）受信印刷データをエラージョブ用メモリに記憶する。
即ち、画像サイズに対応する印刷用紙が使用できず、印刷が実行できないので、印刷対象の受信印刷データをエラージョブとして印刷しないよう処理し、保持ジョブにリストされている次の受信印刷データの印刷処理を実行する。
そしてＳＴ１０８に移る。
【００９５】
ＳＴ１１２において、メイン画面１６において、ジョブ保持の指定がされた受信印刷データまたはエラージョブに登録された受信印刷データのうち、ユーザが指定した作業対象ジョブ（後述のＳＴ１１８参照）の「印刷開始」（図７の作業アイコン表示画像１６ｆ参照）が選択されたか否かを判別する。イエス（Ｙ）の場合はＳＴ１０６に移り、ノー（Ｎ）の場合はＳＴ１１３に移る。
ＳＴ１１３において、メイン画面１６において、作業対象ジョブの「節約印刷設定」が選択されたか否かを判別する。イエス（Ｙ）の場合はＳＴ１１４に移り、ノー（Ｎ）の場合はＳＴ１１５に移る。
ＳＴ１１４において、プリンタサーバＰＳのディスプレイＤ２に節約印刷設定画面１が表示され、前記図８の節約印刷設定処理と同様の節約印刷設定処理が作業対象ジョブに対して実行される。そしてＳＴ１０２に戻る。
【００９６】
ＳＴ１１５において、作業対象ジョブの「ジョブ消去」が選択されたか否かを判別する。イエス（Ｙ）の場合は、ＳＴ１１６に移り、ノー（Ｎ）の場合はＳＴ１１７に移る。
ＳＴ１１６において、作業対象ジョブの受信印刷データを消去する。即ち、ジョブ保持の指定がされた印刷データの消去が選択された場合、ジョブ保持用メモリの受信印刷データが消去され、エラージョブの消去が選択された場合、エラージョブ用メモリの受信印刷データが消去される。そしてＳＴ１０２に戻る。
ＳＴ１１７において、メイン画面１６において、保持ジョブ表示画像１６ｄまたはエラージョブ表示画像１６ｅにリスト表示されたジョブのいずれかを指定する入力があったか否かを判別する。イエス（Ｙ）の場合はＳＴ１１８に移り、ノー（Ｎ）の場合はＳＴ１０２に戻る。
ＳＴ１１８において、指定されたジョブを作業対象ジョブとして記憶し、メイン画面１６の表示を更新する。
【００９７】
したがって、前記ＳＴ１１２〜ＳＴ１１８の処理によって、ジョブ保持の指定があったジョブ（受信印刷データ）やエラージョブに対して、節約印刷の設定や印刷の開始、ジョブの消去等の作業をプリンタサーバＰＳで実行することができる。なお、全てのクライアントパソコンＰＣ等で節約印刷設定処理（図８のサブルーチン参照）が実行できる場合や、プリンタサーバＰＳで節約印刷の設定をしなくても良い場合は、前記ＳＴ１１３、ＳＴ１１４の処理を設ける必要はない。また、プリンタサーバＰＳで節約印刷の設定やその他の設定等を行わない等の理由でジョブの保持をしなくても良い場合、ＳＴ１０３，ＳＴ１０４等の処理を省略することもできる。
【００９８】
（節約印刷処理のサブルーチンの説明）
図１０は前記図９のプリンタサーバの処理における節約印刷処理のサブルーチンのフローチャートである。
図１０のＳＴ１２１において、元画像の全ページ数が、ユーザの指定した節約効果判別ページ数の指定値（前記図３の節約効果判別枚数指定画像６ａへの入力により指定された指定値）よりも大きいか否かを判別する。ノー（Ｎ）の場合はＳＴ１２５に移り、イエス（Ｙ）の場合はＳＴ１２２に移る。
ＳＴ１２２において、元画像データのサイズが定形サイズであるか否かを判別する。ノー（Ｎ）の場合はＳＴ１２５に移り、イエス（Ｙ）の場合はＳＴ１２３に移る。
【００９９】
ＳＴ１２３において、手差しトレイＴＲ０（図１参照）からの給紙が指定されているか否かを判別する。即ち、前記図４に示す印刷開始入力画面２のオプション設定またはプリンタサーバＰＳの設定によりプリンタＰｒの手差しトレイＴＲ０からの給紙が指定されているか否かを判別する。イエス（Ｙ）の場合はＳＴ１２５に移り、ノー（Ｎ）の場合はＳＴ１２４に移る。
ＳＴ１２４において、元画像サイズ（画像サイズ）の整数倍の面積の用紙がプリンタＰｒで使用可能であるか否かを判別する。ノー（Ｎ）の場合はＳＴ１２５に移り、イエス（Ｙ）の場合はＳＴＳＴ１２６に移る。
ＳＴ１２５において、節約印刷を実行せず、元画像サイズに応じたサイズの印刷用紙で印刷、またはユーザの指定がある場合、指定されたサイズの印刷用紙で印刷する。そして、図１０の節約印刷処理が終了し、前記図９のＳＴ１０７に戻る。
【０１００】
したがって、前記ＳＴ１２１〜ＳＴ１２５の処理によって、元画像のページ数が、ユーザが指定した節約効果判別ページ数以下の場合（ＳＴ１２１でノーの場合）は、切断の手間の割にコスト節約の効果が少ないので、節約印刷を実行せず、通常の印刷を行う（ＳＴ１２５）。また、実施の形態１では、定形（Ａ４，Ｂ４等）の印刷用紙が使用可能なプリンタＰｒにおける節約印刷なので、元画像サイズが定形外の場合（ＳＴ１２２でノーの場合）、１枚の定形の印刷用紙に何ページ割り付ければよいのか判断できなくなるので、ユーザが節約印刷を指定していても通常の印刷を行う（ＳＴ１２５）。さらに、手差しトレイＴＲ０からの給紙が指定されている場合（ＳＴ１２３でイエスの場合）、長尺用紙等を使用する可能性があり、使用される印刷用紙のサイズが不明であり１枚の印刷用紙に何ページ割り付ければよいのか決定できないので、通常の印刷を行う（ＳＴ１２５）。そして、元画像サイズの整数倍の用紙が使用不能の場合（ＳＴ１２４でノーの場合）、即ち、例えば、Ａ３、Ａ４しか使用できないプリンタにおいてＢ５の元画像を印刷する場合には、複数ページ割り付けて印刷することができないか、印刷後に裁断した時に切れ端（無駄紙）が発生するので、通常の印刷を行う（ＳＴ１２５）。
【０１０１】
図１０のＳＴ１２６において、最大裁断回数の指定があるか否か（指定「有り」か「無し」か）を判別する。即ち、前記図３の裁断回数指定画像７への入力により最大裁断回数が指定されている（「指定する」が選択されている）か否かを判別する。ノー（Ｎ）の場合はＳＴ１２７に移り、イエス（Ｙ）の場合はＳＴＳＴ１２８に移る。
ＳＴ１２７において、最大用紙サイズの指定があるか否かを判別する。即ち、前記図３の最大用紙サイズ指定画像７への入力により最大用紙サイズが指定されている（「指定する」が選択されている）か否かを判別する。ノー（Ｎ）の場合はＳＴ１２９に移り、イエス（Ｙ）の場合はＳＴ１２８に移る。
【０１０２】
図１１は、元画像サイズ、割り付け可能ページ数及び裁断回数のいずれかから印刷用紙サイズを算出するための印刷用紙サイズ算出テーブルの説明図である。
ＳＴ１２８において、受信印刷データに含まれる印刷パラメータの最大裁断回数の指定値（前記図３の最大裁断回数指定値設定画像７ａへの入力により定まる指定値）または最大用紙サイズの指定値（前記図３の最大用紙サイズ指定値設定画像８ａへの入力により定まる指定値）と元画像サイズとに基づいて、図１１に示す印刷用紙サイズ算出テーブルから、使用可能な最大用紙サイズを算出する。
【０１０３】
例えば、元画像サイズがＡ４で最大裁断回数が２回に指定されている場合、元画像サイズＡ４の欄と、裁断回数１回（最大裁断回数以下の最も大きな裁断回数）の欄との共通部のＡ３が使用可能最大用紙サイズとして設定される。また、例えば、元画像サイズがＢ５で最大用紙サイズ指定値がＢ３である場合、元画像サイズＢ５の欄にはＢ３があるのでＢ３が使用可能最大用紙サイズとして設定される。さらに、例えば、元画像サイズがＡ４で最大用紙サイズ指定値がＢ３である場合、元画像サイズＡ４の欄において、Ｂ３より小さい用紙サイズＡ３，Ａ４の中で最大のＡ３が使用可能最大用紙サイズとして設定される。なお、最大裁断回数と最大用紙サイズの両方が指定されている場合、それぞれの指定値に応じた使用可能最大用紙サイズを算出し、算出された使用可能最大用紙サイズのいずれか小さい方のサイズに設定する。
そして、ＳＴ１３０に移る。
【０１０４】
ＳＴ１２９において、最大印刷用紙サイズの指定は無いが、使用する印刷用紙サイズの指定値（図４の印刷開始入力画面２の印刷用紙サイズ指定画像４ａへの入力で指定される指定値）があるか否かを判別する。ノー（Ｎ）の場合はＳＴＳＴ１３０に移り、イエス（Ｙ）の場合は、ＳＴＳＴ１３１に移る。
ＳＴ１３０において、前記図１１の印刷用紙サイズ算出テーブルから、使用可能最大用紙サイズを超えない範囲で画像サイズの整数倍になる用紙のリスト（使用可能用紙リスト）を作成して、ＳＴ１３２に移る。例えば、前記ＳＴ１３２で使用可能最大用紙サイズがＡ３が設定された元画像サイズＡ４の印刷データの場合、印刷用紙サイズ算出テーブルの元画像サイズＡ４の欄から、使用可能用紙サイズとしてＡ３とＡ４がリストアップされ、記憶される。
【０１０５】
また、例えば、使用可能最大用紙サイズが設定されていない元画像サイズＡ５の印刷データの場合、印刷用紙サイズ算出テーブルの元画像サイズＡ５の欄から、使用可能用紙サイズとしてＡ２，Ａ３，Ａ４，Ａ５がリストアップされて記憶される。但し、実施の形態１では、Ａ２サイズの印刷用紙は給紙トレイに収容されていないので使用可能用紙サイズは、Ａ３，Ａ４，Ａ５に設定される。さらに、例えば、使用可能最大用紙サイズが設定されておらず元画像サイズにＡ４とＢ５がある場合、先ず、Ａ２，Ａ３，Ａ４，Ａ５のリストと、Ｂ２，Ｂ３，Ｂ４，Ｂ５のリストとが作成される。次に、実施の形態１では、給紙トレイＴＲにＡ３，Ａ４，Ａ５，Ｂ４の印刷用紙しか収容されていないので、最終的にＡ３，Ａ４，Ａ５のリストと、Ｂ４のリストとが作成される。
【０１０６】
ＳＴ１３１において、最大印刷用紙サイズ等の指定は無いが、ユーザの入力によって、使用する印刷用紙サイズの指定があるので、指定された印刷用紙サイズのみを使用可能用紙サイズとする使用可能用紙リストが作成される。そして、ＳＴ１３２に移る。
ＳＴ１３２において、両面印刷が指定されているか否か（受信印刷データに両面印刷指定データが含まれているか否か）を判別する。イエス（Ｙ）の場合はＳＴ１３３に移り、ノー（Ｎ）の場合はＳＴ１３４に移る。
ＳＴ１３３において、１枚の印刷用紙の両面に元画像の複数ページを割り付けて印刷する際の、印刷用紙サイズ及び割り付けるページを自動設定する両面印刷用ページ割付設定処理（後述の図１４のサブルーチン参照）を実行してＳＴ１３７に移る。
【０１０７】
ＳＴ１３４において、Ｎｕｐ印刷が指定されているか否かを判別する。即ち、Ｎページの元画像を元画像サイズ１ページ分に縮小して印刷するＮｕｐ印刷が指定されているか否かを判別する。イエス（Ｙ）の場合はＳＴ１３５に移り、ノー（Ｎ）の場合はＳＴ１３６に移る。
ＳＴ１３５において、１枚の印刷用紙の片面にＮｕｐされた元画像を、複数割り付けて印刷する際の、印刷用紙サイズ及び割り付けるページを自動設定する両面印刷用ページ割付設定処理（後述の図１５のサブルーチン参照）を実行してＳＴ１３７に移る。
ＳＴ１３６において、１枚の印刷用紙の片面に元画像の複数ページを割り付けて印刷する際の、印刷用紙サイズ及び割り付けるページを自動設定するページ割付設定処理（後述の図１２のサブルーチン参照）を実行してＳＴ１３７に戻る。
【０１０８】
ＳＴ１３７において、前記ＳＴ１３６の処理において自動設定された前記印刷用紙サイズの印刷用紙に割り付けられた元画像の複数のページに基づいた印刷画像データを作成し、プリンタＰｒに送信して印刷する。そして、ＳＴ１３８に移る。
ＳＴ１３８において、印刷データにまだ印刷していない残りページ数があるか否かを判別する。イエス（Ｙ）の場合はＳＴ１３６に戻り、ノー（Ｎ）の場合は図１０の節約印刷処理を終了し、前記図９のＳＴ２０７に戻る。
【０１０９】
したがって、ＳＴ１２１〜ＳＴ１３８の節約印刷処理によって。ユーザの各指定に応じて節約印刷を実行するか否かが判別される（ＳＴ１２１〜１２４）。そして、節約印刷を実行する場合、ＳＴ１２６〜ＳＴ１３６において、印刷に使用される印刷用紙サイズと各印刷用紙に割り付けられるページとが自動設定され、各自動設定に基づいた印刷画像データが作成され、プリンタＰｒに送信されて、印刷される（ＳＴ１３７）。
【０１１０】
（ページ割付設定処理）
図１２は前記図１０の節約印刷処理におけるページ割付設定処理のサブルーチンのフローチャートである。
図１２のＳＴ１５１において、受信印刷データの元画像データの中に、カラー印刷が指定されたページと白黒印刷が指定されたページとが混在しているか否かを判別する。ノー（Ｎ）の場合はＳＴ１５２に移り、イエス（Ｙ）の場合はＳＴ１５３に移る。
ＳＴ１５２において、元画像データの中に、２種類以上の画像サイズのページが混在しているか否かを判別する。イエス（Ｙ）の場合はＳＴ１５３に移り、ノー（Ｎ）の場合はＳＴ１５４に移る。
【０１１１】
ＳＴ１５３において、元画像データの先頭ページと同一の属性（カラー・白黒の指定及び元画像サイズ）のページの数をカウントし、カウント値を割付対象ページ数として記憶する。即ち、例えば、元画像データが、同一サイズで１ページ（先頭ページ）から順に、「白黒、カラー、白黒、白黒、カラー、白黒」のデータである場合、前記割付対象ページ数は「４」として記憶される。また、例えば、元画像データが同一カラー属性で１ページ（先頭ページ）から順に、「Ｂ５、Ａ４、Ａ４」のデータである場合、前記割付対象ページ数は「１」として記憶される。  そして、ＳＴ１５５に移る。
ＳＴ１５４において、元画像データの全ページ数を割付対象ページ数として記憶する。即ち、ＳＴ１５１，ＳＴ１５２の判別によって、元画像データの全ページのカラー・白黒の属性及び元画像サイズが同一と判別されたので、全てのページを割り付ける対象として設定する。そして、ＳＴ１５５に移る。
【０１１２】
ＳＴ１５５において、前記図１１の節約印刷処理のＳＴ１３４またはＳＴ１３５で作成した使用可能印刷用紙リストの中の最大サイズ（即ち、使用可能最大用紙サイズ）を、割付判別用紙サイズとして設定する。そして、ＳＴ１５６に移る。
ＳＴ１５６において、割付判別用紙サイズと元画像サイズとに基づいて前記図１１の印刷用紙サイズ算出テーブルから算出される割付可能最大ページ数（１，２，４又は８）が、前記ＳＴ１５３またはＳＴ１５４で記憶された割付対象ページ数より小さいか否かを判別する。イエス（Ｙ）の場合はＳＴ１５７に移り、ノー（Ｎ）の場合はＳＴ１５８に移る。
【０１１３】
ＳＴ１５７において、次の処理（１）〜（３）を実行する。
（１）割付判別用紙サイズを印刷用紙サイズに設定する。
（２）割付可能最大ページ数を、実際に印刷用紙に割り付ける画像のページ数である割付ページ数に設定する。
（３）割付対象ページの先頭ページから順に設定された印刷用紙に割り付ける。
そして、図１２のページ割付設定処理を終了して、前記図１０の節約印刷処理のＳＴ１３６に戻る。
【０１１４】
したがって、前記ＳＴ１５６、ＳＴ１５７の処理によって、割付判別用紙サイズに割り付けることができるページ数よりも割付対象ページ数の方が多いので、割付対象ページの中から割付可能最大ページ数だけ割り付ける設定を行う。実施の形態１では、前記割り付けは、先頭ページから順に行われる。なお、前記ＳＴ１５３において、先頭ページと同一属性のページ数をカウントせず、最後のページと同一属性のページ数をカウントし、ＳＴ１５７において、最後のページから順に割り付けるよう処理することも可能である。
【０１１５】
図１３は料金節約優先時に使用される各パラメータの説明図であり、図１３Ａは割付対象ページ数・料金節約用紙テーブルの説明図、図１３Ｂは印刷料金表の説明図である。
ＳＴ１５８において、料金節約優先が指定されているか否か（料金節約優先の指定有りか無しか）を判別する。イエス（Ｙ）の場合はＳＴ１５９に移り、ノー（Ｎ）の場合はＳＴ１６０に移る。
ＳＴ１５９において、次の処理（１）、（２）を実行する。
（１）図１３Ａの割付対象ページ数・料金節約用紙テーブルから印刷用紙サイズを設定する。
（２）設定された印刷用紙サイズに割付対象ページ全てを割り付ける。
ＳＴ１６０において、割付判別用紙サイズを、使用可能印刷用紙リストにおいて一つ小さなサイズの用紙サイズに変更する（例えば、Ａ４→Ａ５）。そして、ＳＴ１５６に戻る。
【０１１６】
したがって、前記ＳＴ１５６の処理によって、割付対象ページ数が判別用紙の割付可能最大ページ数よりも小さいので、全てのページを割り付けて印刷した場合、裁断時に無駄紙となる余白領域が形成される場合がある。しかしながら、実施の形態１では、図１３Ｂに示すような料金設定になっているので、裁断時に無駄紙となる余白が発生してもサイズの大きな印刷用紙に印刷した方が、結果として印刷コスト（印刷料金）を抑えることができる。例えば、「白黒」のＡ５の元画像３ページを印刷する場合、料金節約優先が指定されていないと（ＳＴ１５８でノーの場合）、余白が出ないようにするために、Ａ４の印刷用紙に２ページ割り付け、Ａ５の印刷用紙に１ページ割り付ける。このときの印刷コストは￥１５＋￥１０＝￥２５となる。しかし、Ａ５の元画像３ページをＡ３の印刷用紙に印刷した場合、裁断後無駄紙が発生するが、印刷コストは￥２０で済む。したがって、ユーザが料金節約優先の指定をしている場合、発生する無駄紙が最小になり且つ印刷コストが最も安くなるように、割付対象ページ数・料金節約用紙テーブルから算出される料金節約用紙の用紙サイズを印刷用紙サイズに設定する。
【０１１７】
（両面印刷処理）
図１４は、両面印刷時の節約印刷処理におけるページ割付設定処理のサブルーチンのフローチャートであり、前記図１２に対応する図である。
図１４において、両面印刷時ページ割付設定処理は、次の点が前記図１２の片面印刷時のページ割付処理と異なるので、同様の処理についての詳細な説明は省略する。即ち、図１４に示すように、図１２のＳＴ１５３、ＳＴ１５４、ＳＴ１５７及びＳＴ１５９に替えて、処理ＳＴ２５３、ＳＴ２５４、ＳＴ２５７及びＳＴ２５９が実行される。
【０１１８】
図１４のＳＴ２５４において、次の処理（１）、（２）を実行してＳＴ１５５に移る。
（１）カラー・白黒の属性及び画像サイズが全て同一の複数ページの元画像に対して、奇数ページの数をカウントする。即ち、元画像の全てのページのカラー・白黒及び元画像サイズの属性が同一なので、印刷用紙の表面側に割り付けられるページである奇数ページを割付対象ページとし、そのページ数をカウントする。
（２）前記（１）におけるカウント値を割付対象ページ数として設定する。
【０１１９】
図１４のＳＴ２５３において、次の処理（１）〜（３）を順次実行して、ＳＴ１５５に移る。
（１）カラー・白黒の属性または画像サイズの属性が同一でない複数ページの元画像に対して、先頭ページから順に２ページずつの組を割付対象ページとみなし、各割付対象ページの属性に基づいて両面属性パラメータを作成する。即ち、両面印刷時に、印刷用紙の表裏に印刷される表面側ページの属性（カラー・白黒及び画像サイズ）と裏面側ページの属性の組を両面属性パラメータとして記憶する。例えば、元画像が、先頭ページから順に「白黒、カラー、白黒、カラー」で画像サイズが全てＡ５の場合、両面属性パラメータは、割付対象ページの先頭ページが「白黒・Ａ５，カラー・Ａ５」となり、割付対象ページの第２ページが「白黒・Ａ５，カラー・Ａ５」となる。
【０１２０】
また、「カラー、白黒、白黒、白黒、白黒、カラー」で画像サイズが全てＡ５の場合、両面属性パラメータは、「カラー・Ａ５，白黒・Ａ５」、「白黒・Ａ５，白黒・Ａ５」、「白黒・Ａ５，カラー・Ａ５」となる。なお、例えば、元画像が、画像サイズ「Ａ５、Ｂ５、Ａ５、Ａ５」で全て白黒の場合、元画像の第１ページと第２ページに関しては、同一サイズの印刷用紙の表裏に印刷することができないので、第３ページと第４ページのみに関して「白黒・Ａ５，白黒・Ａ５」との両面属性パラメータが作成され、１ページと２ページに関しては、片面印刷が実行される。なお、第１ページ目と第２ページを例えば、Ａ５又はＢ５のいずれかの印刷用紙の表裏に印刷するよう処理することも可能である。
【０１２１】
（２）次に、先頭ページの両面属性パラメータと同一の両面属性パラメータをカウントする。例えば、割付対象ページの第１ページ及び第２ページの両面属性パラメータが「白黒・Ａ５，カラー・Ａ５」、「白黒・Ａ５，カラー・Ａ５」である場合、両面属性パラメータが同一なので、カウント値が２となる。また、前記両面属性パラメータが、「カラー・Ａ５，白黒・Ａ５」、「白黒・Ａ５，白黒・Ａ５」、「白黒・Ａ５，カラー・Ａ５」の場合、完全同一のページはないが、割付対象ページ第３ページ（元画像の第５ページと第６ページ）は、表裏を逆に印刷すると、「カラー・Ａ５，白黒・Ａ５」となり、割付対象ページ第１ページの両面属性パラメータと同一となる。したがって、この場合、カウント値は２となり、割付対象ページ第３ページは表裏逆に印刷するよう設定される。
（３）次に、前記（２）の処理におけるカウント値を割付対象ページ数として設定する。
【０１２２】
そして、ＳＴ１５５、ＳＴ１５６の処理を経て、ＳＴ２５７において、前記ＳＴ１５７の（１）、（２）の処理に加え、次の処理（３）、（４）を実行する。
（３）設定された割り付けページ数に応じて、印刷用紙の表面に印刷される元画像の各ページを割り付ける。
（４）表面に割り付けられた各ページの裏面に印刷されるべき元画像のページをそれぞれ割り付ける。
したがって、前記（１）〜（４）の処理によって、印刷用紙サイズの自動設定及び、設定された印刷用紙サイズに割り付けられるページ数の設定が行われると共に、表面側のページの割り付け及び各裏面のページの割付が行われる。
【０１２３】
したがって、前記ＳＴ２５７の処理では、例えば、「白黒・Ａ５，カラー・Ａ５」、「白黒・Ａ５，カラー・Ａ５」の場合、割付対象ページ数が２であるので、印刷用紙サイズがＡ４に設定され、割付対象ページ数の２ページ（元画像の第１ページ〜第４ページ）が割り付けられる。そして、表面に白黒・Ａ５のページである元画像第１ページと第３ページが割り付けられ、元画像第１ページの裏面にカラー・Ａ５の第２ページが割り付けられ、元画像第３ページの裏面にカラー・Ａ５の第４ページが割り付けられる。
また、例えば、「カラー・Ａ５，白黒・Ａ５」、「白黒・Ａ５，白黒・Ａ５」、「白黒・Ａ５，カラー・Ａ５」の場合、印刷用紙サイズがＡ４に設定され、割付対象ページ数の２ページ（元画像の第１ページ、第２ページ、第５ページ、第６ページ）が割り付けられる。そして、第５ページと第６ページは表裏逆に印刷するよう設定されているので、表面にカラー・Ａ５のページである元画像第１ページと第６ページが割り付けられ、元画像第１ページの裏面に白黒・Ａ５の第２ページが割り付けられ、元画像第６ページの裏面に白黒・Ａ５の第５ページが割り付けられる。
なお、属性が全て同一の場合、表面に元画像の第１ページ、第３ページ、第５ページ、…が割り付けられ、各ページの裏面に第２ページ、第４ページ、第６ページ、…が割り付けられる。
【０１２４】
また、料金節約優先が指定されている場合、ＳＴ２５９において、前記ＳＴ１５９の（１）、（２）の処理に加え、前記ＳＴ２５７の処理（３）、（４）と同様の処理を実行する。
（３）設定された割り付けページ数から、印刷用紙の表面に印刷される元画像のページを割り付ける。
（４）表面に割り付けられた各ページの裏面に印刷されるべき元画像のページをそれぞれ割り付ける。
【０１２５】
（Ｎｕｐ印刷処理）
図１５は、Ｎｕｐ印刷時の節約印刷処理におけるページ割付設定処理のサブルーチンのフローチャートであり、前記図１２に対応する図である。
図１５において、Ｎｕｐ印刷時のページ割付処理は、次の点が図１２のページ割付処理と異なる。即ち、図１５に示すように、図１２のＳＴ１５３、ＳＴ１５４、ＳＴ１５７及びＳＴ１５９に替えて、処理ＳＴ３５３、ＳＴ３５４、ＳＴ３５７及びＳＴ３５９が実行される。また、複数ページの元画像に画像サイズの異なるページが含まれている場合（ＳＴ１５２でイエス（Ｙ）の場合）、実施の形態１では、Ｎｕｐ印刷を実行せず、通常のページ割付処理（前記図１２参照）を実行する。
【０１２６】
複数ページの元画像の全てのページの属性が同一である場合、図１５のＳＴ３５４において、Ｎｕｐの指定値（２ｕｐ、４ｕｐ、８ｕｐ等）に応じて、Ｎｕｐ後のページを割付対象ページとみなし、割付対象ページ数をカウントして記憶する。例えば、元画像の全ページ数が８ページで２ｕｐが指定されている場合、割付対象ページ数は４（＝８ページ／２ｕｐ）に設定され、全ページ数が１５ページで４ｕｐが指定されている場合、割付対象ページ数は４（＝１５／４の値を切り上げ）に設定される。即ち、Ｎｕｐ後のページ数（４ｕｐの場合、元画像の１〜４ページをＮｕｐ後の先頭ページ、元画像の５〜８ページをＮｕｐ後の第２ページ、…）に基づいて割付対象ページ数が設定される。
【０１２７】
複数ページの元画像のカラー・白黒の属性の異なるページが混在している場合は、図１５のＳＴ３５３において、次の処理（１）〜（３）が実行されて、ＳＴ１５５に移る。
（１）カラー・白黒の属性が異なる場合、複数ページの元画像に対して、Ｎｕｐ後の各ページを割付対象ページとみなし、割付対象ページの属性に基づいてＮｕｐ属性パラメータを作成する。即ち、Ｎｕｐ印刷時に、Ｎｕｐ後の各ページの属性（カラーまたは白黒の属性）を記憶する。例えば、元画像が先頭ページから順に「白黒、白黒、白黒、カラー」で２ｕｐが指定されている場合、元画像の第１ページと第２ページがともに「白黒」なので、２ｕｐ後の先頭ページ（割付対象ページの第１ページ）のＮｕｐ属性パラメータは「白黒」となり、元画像の第３ページが「白黒」、第４ページが「カラー」なので、２ｕｐ後の第２ページ（割付対象ページの第２ページ）のＮｕｐ属性パラメータは「カラー」となる。したがって、Ｎｕｐ後のページに割り付けられた元画像のページ全てが「白黒」である場合にＮｕｐ属性パラメータは「白黒」となり、「カラー」の元画像のページが混ざっている場合にＮｕｐ属性パラメータは「カラー」となる。
【０１２８】
（２）次に、割付対象ページの先頭ページのＮｕｐ属性パラメータ（白黒またはカラー）と同一のＮｕｐ属性パラメータをの割付対象ページの数をカウントする。
（３）次に、前記（２）の処理におけるカウント値を割付対象ページ数として設定する。
【０１２９】
そして、ＳＴ１５５、ＳＴ１５６の処理を経て、ＳＴ２５７において、前記ＳＴ１５７の（１）、（２）の処理に加え、次の処理（３）を実行する。
（３）設定された割り付けページ数に応じて、元画像が縮小されてＮｕｐされた後の割付対象ページを割り付ける。
したがって、前記（１）〜（３）の処理によって、印刷用紙サイズの自動設定及び、設定された印刷用紙サイズに割り付けられるページ数の自動設定が行われると共に、Ｎｕｐ後の割付対象ページの割付が行われる。
【０１３０】
したがって、前記ＳＴ３５７の処理では、例えば、元画像が全てＡ５サイズ「白黒、白黒、白黒、白黒、カラー、カラー」で２ｕｐが指定されている場合、印刷用紙サイズがＡ４に設定される。そして、Ａ４の印刷用紙の左側のＡ５サイズの領域に、元画像の第１ページ及び第２ページが１／２に縮小され且つ並べて配置された（２ｕｐされた）状態で割り付けられ、Ａ４の印刷用紙の右側のＡ５サイズの領域に元画像の第３ページ及び第４ページが１／２に縮小されて並べて配置された（２ｕｐされた）状態で割り付けられる。
また、例えば、Ａ４全１６ページの元画像の中で３ページ目のみが「カラー」で残りの１５ページが「白黒」の元画像を４ｕｐで節約印刷する場合、４ｕｐ後の先頭ページのＮｕｐ属性パラメータは「カラー」となり、４ｕｐ後の２ページ〜４ページのＮｕｐ属性パラメータは「白黒」となる。そして、４ｕｐ後の先頭ページの属性「カラー」と同一の属性の４ｕｐ後のページが無いので、割付対象ページ数が「１」に設定され、４ｕｐ後の先頭ページがＡ４に「カラー」で印刷される。そして、４ｕｐ後の第２ページ及び第３ページがＡ３の印刷用紙に「白黒」で印刷され、４ｕｐ後の第４ページがＡ４に「白黒」で印刷される。
【０１３１】
（実施の形態１の作用）
前記構成を備えた実施の形態１の印刷処理システムＳでは、クライアントパソコンＰＣで節約印刷の指定がされた場合、節約印刷指定有りの印刷パラメータが含まれる送信用印刷データがプリンタサーバＰＳに送信される。前記送信用印刷データを受信したプリンタサーバＰＳでは、前記元画像サイズ及び用紙選択条件を含む印刷パラメータに基づいて、印刷される印刷用紙サイズの設定と、印刷用紙毎に印刷されるページの割付が自動的に行われ、印刷用紙毎に割り付けられたページの元画像データに応じた印刷画像データが作成され、プリンタＰｒに送信される（ＳＴ１３６，ＳＴ１３７参照）。
【０１３２】
また、節約印刷の設定がされず、節約印刷用の印刷パラメータを含まない送信用印刷データをプリンタサーバＰＳが受信した場合でも、送信時にジョブ保持の指定等をすることにより、プリンタサーバＰＳの入力装置によって節約印刷の設定を行い、節約印刷用の印刷パラメータを含む受信印刷データを作成することができる。そして、プリンタサーバＰＳでは、前記受信印刷データの印刷パラメータに基づいて、印刷用紙毎に印刷される印刷用紙サイズの設定と、印刷用紙毎に印刷されるページの割付が行われ、印刷用紙毎に割り付けられたページの元画像データに応じた印刷画像データが作成されプリンタＰｒに送信される。
【０１３３】
前記印刷画像データを受信したプリンタＰｒは、前記印刷画像データを設定された印刷用紙サイズ（ＳＴ１５７，ＳＴ１５９参照）の印刷用紙に印刷する。そして、ユーザは、複数ページが割り付けられて印刷された印刷用紙を裁断することによって、元画像サイズの印刷画像を得ることができる。
前記実施の形態１の印刷システムＳでは、複数の印刷用紙サイズの印刷用紙が使用可能なプリンタにおいて、節約印刷が指定された場合、印刷用紙サイズと印刷用紙に割り付けられるページ数が自動的に設定される。この結果、ユーザが元画像を割り付ける作業を省略することができると共に、印刷コストの割安な元画像サイズよりも大きな印刷用紙に複数ページを割り付けることにより印刷コストを削減することができる。
【０１３４】
また、料金節約優先が指定されていない場合、余白が発生しないように印刷用紙サイズが自動的に設定され、裁断後に無駄紙が発生することを防止できる。また、料金節約優先が指定されている場合、無駄紙の発生を最小（無駄紙が出ない場合も含む）にすると共に、印刷コストをさらに削減することができる。
また、前記実施の形態１の印刷処理システムＳでは、実際に印刷する前に、クライアントパソコンＰＣ又はプリンタサーバＰＳのディスプレイＨ２、Ｄ２に表示される節約印刷設定画面１の表示を確認しながら、節約印刷の有無の指定や、最大裁断回数の指定等を行うことができる。したがって、ユーザが指定した裁断回数以下の裁断回数で裁断作業を行うことができる。また、節約効果判別ページ数をユーザが指定することにより、元画像のページが節約効果判別ページ数より少ない場合には裁断作業を行わず、多い場合に裁断作業を行うことをユーザが選択できる。
【０１３５】
（実施の形態１の具体例１）
図１６は、本発明の実施の形態１の各処理によって印刷される印刷用紙と元画像との関係を示す実施の形態１の具体例１の説明図であり、図１６Ａは元画像データを示す図、図１６Ｂは本発明の実施の形態１の処理での印刷結果を示す図、図１６Ｃは従来の処理での印刷結果を示す図である。
図１６Ａに示す「白黒」Ａ５サイズの２ページの元画像データに対し、図３の節約印刷設定画面１において、節約印刷「する」、節約効果判別ページ数「１」、最大用紙サイズ指定「有り」、最大用紙サイズ指定値「Ｂ４」、最大裁断回数指定「無し」、料金節約優先「しない」を指定して印刷を行うと、図１６Ｂに示す印刷結果が得られる。即ち、図１０のＳＴ１２８において、使用可能最大用紙サイズがＡ４に設定され、ＳＴ１３０において使用可能用紙リストにＡ４，Ａ５がリストアップされる。そして、図１２のＳＴ１５７において、印刷用紙サイズがＡ４に設定され、２ページが割り付けられる。そして、図１０のＳＴ１３７において、印刷画像データが作成され、印刷される。
【０１３６】
したがって、図１６Ｂに示す印刷用紙を裁断することによって、Ａ５サイズの印刷用紙２枚を得ることができる。
これに対し、節約印刷「しない」を指定し、印刷用紙サイズを「Ｂ４」に指定した場合（従来技術の印刷の場合）では、自動で印刷用紙サイズが設定されないので、図１６Ｃに示すように、Ｂ４の印刷用紙に２ページが印刷され、余白が形成される。従って、印刷用紙を裁断後、余白部分が無駄紙となり、無駄紙の処理（廃棄）を行わなければならなくなり、環境対策上好ましくない。
【０１３７】
（実施の形態１の具体例２）
図１７は、本発明の実施の形態１の各処理によって印刷される印刷用紙と元画像との関係を示す実施の形態１の具体例２の説明図であり、図１７Ａは元画像データを示す図、図１７Ｂは元画像サイズより大きな印刷用紙に複数ページを割り付けて印刷しない従来技術の場合の印刷結果を示す図、図１７Ｃは、図１７Ａの元画像を節約印刷を指定し料金節約優先を指定せずに印刷した場合の印刷結果を示す図、図１７Ｃは図１７Ａの元画像を料金節約優先を指定して印刷した場合の印刷結果を示す図である。
図１７Ａに示す「白黒」Ａ５サイズの３ページの元画像データに対し、元画像サイズより大きな印刷用紙に複数ページを割り付けて印刷しない従来技術で印刷すると、図１７Ｂに示す印刷結果が得られる。即ち、Ａ５の印刷用紙に１ページずつ印刷され、裁断する手間は必要ないが、印刷コストが￥１０×３＝￥３０となる。
【０１３８】
これに対し、前記元画像データに対し、図３の節約印刷設定画面１において、節約印刷「する」、節約効果判別ページ数「１」、最大用紙サイズ指定「無し」、最大裁断回数指定「無し」、料金節約優先「しない」を指定して印刷を行うと、図１７Ｃに示す印刷結果が得られる。即ち、図１０のＳＴ１２８において、使用可能最大用紙サイズがＡ２に設定され、ＳＴ１３０において使用可能用紙リストにＡ２，Ａ３，Ａ４，Ａ５がリストアップされる。そして、先ず、図１２のＳＴ１５７において、印刷用紙サイズがＡ４に設定され、３ページ中２ページが割り付けられる。そして、図１０のＳＴ１３７において、印刷画像データが作成され、印刷される。その後、ＳＴ１３８の処理でＳＴ１３６に移り、再びＳＴ１５７において、印刷用紙サイズがＡ５に設定されて残りの１ページが割り付けられ、図１０のＳＴ１３７において印刷される。したがって、図１７Ｃに示す印刷用紙を裁断することによって、Ａ５サイズの印刷用紙３枚を得ることができるとともに無駄紙も発生しない。また、このときの印刷コストは￥２５（￥１５＋￥１０）となり、従来の場合と比較して印刷コストを抑えることができる。
【０１３９】
一方、前記元画像データに対し、節約印刷「する」、節約効果判別ページ数「１」、最大用紙サイズ指定「無し」、最大裁断回数指定「無し」、料金節約優先「する」を指定して印刷を行うと、図１７Ｄに示す印刷結果が得られる。即ち、図１２のＳＴ１５６で、判別用紙サイズが最大用紙サイズ（Ａ３）に設定されて判別が行われる際に、ＳＴ１５８の処理を経て、ＳＴ１５９の処理が実行される。ＳＴ１５９において、割付対象ページ数が３ページなので、図１３Ａの割付対象ページ数・料金節約用紙テーブルから４枚割付可能用紙が指定され、使用可能用紙リストからＡ５サイズを４枚（４ページ）割り付け可能なＡ３サイズが印刷用紙サイズに設定される。そして、Ａ３の印刷用紙に３ページ全てが割り付けられ、図１７Ｄに示すような印刷結果が得られる。したがって、裁断後無駄紙が発生するが、図１７Ｄの印刷結果の印刷コストは￥２０であり（図１３Ｂ参照）、図１７Ｄの印刷時の印刷コスト￥２５（￥１５＋￥１０）に比べさらにコストを抑えることができる。
【０１４０】
（実施の形態１の具体例３）
図１８は、本発明の実施の形態１の各処理によって印刷される印刷用紙と元画像との関係を示す実施の形態１の具体例３の説明図であり、図１８Ａは元画像データを示す図、図１８Ｂは図１８Ａの元画像を節約印刷を指定して印刷した場合の印刷結果を示す図、図１８Ｃは図１８Ａの元画像を節約印刷を指定せず印刷した場合の印刷結果を示す図である。
図１８Ａに示す「白黒」Ａ５サイズと「カラー」Ａ５サイズの合計２ページの元画像データに対し、節約印刷「する」、節約効果判別ページ数「１」、最大用紙サイズ指定「無し」、最大裁断回数指定「無し」、料金節約優先「しない」を指定して印刷を行うと、図１８Ｂに示す印刷結果が得られる。
【０１４１】
即ち、図１０のＳＴ１２８において、使用可能最大用紙サイズがＡ２に設定され、ＳＴ１３０において使用可能用紙リストにＡ２，Ａ３，Ａ４，Ａ５がリストアップされる。そして、先ず、図１２のＳＴ１５３において先頭ページである「白黒」の属性のページのカウント値（１ページ）が割付対象ページ数に設定され、ＳＴ１５７において印刷用紙サイズがＡ５に設定され、「白黒」の１ページ目が割り付けられ印刷される。次に、再び、ＳＴ１５３において先頭ページとなった「カラー」の属性のページのカウント値（１ページ）が割付対象ページ数に設定され、ＳＴ１５７において印刷用紙サイズがＡ５に設定され、「カラー」の２ページ目（先頭ページ）が割り付けられて印刷される。この結果、図１８Ｂに示すように、合計￥５０で印刷することができる。
これに対し、節約印刷「しない」を指定し、印刷用紙サイズを「Ａ４」に指定した場合（即ち、従来技術（Ｊ01）において複数ページを割り付けて印刷する場合）では、「白黒」のページと「カラー」のページをＡ４の印刷用紙に割り付けるので、全体が「カラー」で印刷される。この結果、図１８Ｃに示すように、印刷コストが￥６０となってしまう。
【０１４２】
（実施の形態１の具体例４）
図１９は、本発明の実施の形態１の各処理によって印刷される印刷用紙と元画像との関係を示す実施の形態１の具体例４の説明図であり、図１９Ａは元画像データを示す図、図１９Ｂは図１９Ａの元画像を節約印刷を指定せず印刷した場合の印刷結果を示す図、図１９Ｃは図１９Ａの元画像を節約印刷を指定して印刷した場合の印刷結果を示す図である。
図１９Ａに示すＡ５サイズの「白黒」、「カラー」、「白黒」、「カラー」の順の４ページの元画像データに対し、印刷用紙サイズを「Ａ４」に指定し、節約印刷「しない」を指定して印刷すると、図１９Ｂに示す印刷結果が得られる。即ち、１ページ目（白黒）と２ページ目（カラー）が割り付けられたＡ４の印刷用紙がカラーで印刷され、３ページ目（白黒）と４ページ目（カラー）が割り付けられたＡ４の印刷用紙がカラーで印刷される。この結果、印刷コストが￥１２０となる。
【０１４３】
一方、前記元画像データに対して、節約印刷「する」、節約効果判別ページ数「１」、最大用紙サイズ指定「有り」、最大用紙サイズ「Ａ４」、最大裁断回数指定「無し」、料金節約優先「しない」を指定して印刷を行うと、図１９Ｃに示す印刷結果が得られる。即ち、先ず、図１２のＳＴ１５３において先頭ページである「白黒」の属性のページがカウントされる。前記元画像データの場合、１ページ目と３ページ目が「白黒」なので、カウント値が２となり、前記カウント値が割付対象ページ数に設定される。そして、ＳＴ１５７において印刷用紙サイズがＡ４に設定され、「白黒」の１ページ目と３ページ目が割り付けられて印刷される（ＳＴ１３７）。
【０１４４】
次に、ＳＴ１３８からＳＴ１３６に戻ると、残りページ（２ページ目と４ページ目）が共に「カラー」であるので（白黒・カラーの混在がないので）、ＳＴ１５４において、カウント値が２となり、前記カウント値が割付対象ページ数に設定される。そして、ＳＴ１５７において印刷用紙サイズがＡ４に設定され、「カラー」の２ページ目と４ページ目が割り付けられ印刷される。この結果、各印刷用紙を裁断することによって、１ページ〜４ページの印刷画像を得ることができる。そして、このときの印刷コストは、￥１５（Ａ４「白黒」）＋￥６０（Ａ４「カラー」）＝￥７５となり、節約印刷を指定しない場合と比べ印刷コストを抑えることができる。
【０１４５】
（実施の形態１の具体例５）
図２０は、本発明の実施の形態１の各処理によって印刷される印刷用紙と元画像との関係を示す実施の形態１の具体例５の説明図であり、図２０Ａは元画像データを示す図、図２０Ｂは図２０Ａの元画像を節約印刷を指定せず印刷した場合の印刷結果を示す図、図２０Ｃは図２０Ａの元画像を節約印刷を指定して印刷した場合の印刷結果を示す図である。
図２０Ａに示す「白黒」のＡ５，Ｂ４，Ａ５の順の３ページの元画像データに対し、節約印刷「しない」を指定して印刷すると、１ページ目と２ページ目と１枚の印刷用紙に割り付けて（まとめて）印刷することができないので、図２０Ｂに示すように、各ページ毎にそれぞれのサイズの印刷用紙に印刷される。この結果、印刷用紙が３枚使用され、プリントカウントが３進む。このときの印刷コストは、￥１０＋￥１８＋￥１０＝￥３８となる。
【０１４６】
これに対し、前記元画像データに対して、節約印刷「する」、節約効果判別ページ数「１」、最大用紙サイズ指定「無し」、最大裁断回数指定「無し」、料金節約優先「しない」を指定して印刷を行うと、図２０Ｃに示す印刷結果が得られる。即ち、先ず、図１２のＳＴ１５３において先頭ページである「Ａ５」の属性のページがカウントされる。前記元画像データの場合、１ページ目と３ページ目が「Ａ５」なので、カウント値が２となり、前記カウント値が割付対象ページ数に設定される。そして、ＳＴ１５７において印刷用紙サイズがＡ４に設定され、「Ａ５」の１ページ目と３ページ目が割り付けられ印刷される（ＳＴ１３７）。
【０１４７】
次に、ＳＴ１３８からＳＴ１３６に戻り、再び、ＳＴ１５３において先頭ページとなった２ページ目の「Ｂ４」の属性と同一のページがカウントされる。前記元画像データの場合、２ページ目のみが「Ｂ４」なので、カウント値が１となり、前記カウント値が割付対象ページ数に設定される。そして、ＳＴ１５７において印刷用紙サイズがＢ４に設定され、２ページ目が割り付けられ印刷される。この結果、１ページ目と３ページ目とが印刷された印刷用紙を裁断することによって、それぞれの元画像サイズに応じた１ページ〜３ページの印刷画像を得ることができる。そして、このときの印刷コストは、￥１５（Ａ４「白黒」）＋￥１８（Ｂ４「白黒」）＝￥３３となり、節約印刷を指定しない場合と比べ印刷コストを抑えることができる。
【０１４８】
（実施の形態１の具体例６）
図２１は、本発明の実施の形態１の各処理によって印刷される印刷用紙と元画像との関係を示す実施の形態１の具体例６の説明図であり、図２１Ａは元画像データを示す図、図２１Ｂは図２１Ａの元画像を節約印刷を指定せず印刷した場合の印刷結果を示す図、図２１Ｃは図２１Ａの元画像を節約印刷を指定して印刷した場合の印刷結果を示す図、図２１Ｄは図２１Ｃの印刷結果の印刷用紙を裁断した後の印刷用紙の説明図である。
図２１Ａに示すＡ５サイズの「白黒、カラー、白黒、カラー」の順の４ページの元画像データに対し、節約印刷「しない」を指定して、両面印刷の実行（左綴じ又は上綴じ）を指定すると、図２１Ｂに示すように、各ページ毎に両面印刷される。このときの印刷コストは、￥１０（１枚目表面）＋￥４０（１枚目裏面）＋￥１０（２枚目表面）＋￥４０（２枚目裏面）＝￥１００となる。
【０１４９】
これに対して、前記元画像データに対し、節約印刷「する」、節約効果判別ページ数「１」、最大用紙サイズ指定「無し」、最大裁断回数指定「無し」、料金節約優先「しない」を指定し、両面印刷の実行を指定して印刷を行うと、図２１Ｃに示す印刷結果が得られる。即ち、元画像の第１ページ及び第２ページの両面属性パラメータと第３ページ及び第４ページの両面属性パラメータが共に「白黒・Ａ５，カラー・Ａ５」となり、割付対象ページ数が２に設定される（ＳＴ２５３参照）。したがって、ＳＴ２５７において、印刷用紙サイズがＡ４に設定され、表面に元画像の第１ページと第３ページが割り付けられ、その裏面に第２ページと第４ページとが割り付けられて印刷される。そして、印刷されたＡ４の印刷用紙を裁断すると、図２１Ｄに示すように、表面と裏面のページ順が正しい印刷用紙が得られる。このときの印刷コストは、￥１５（１ページ目及び３ページ目）＋￥６０（２ページ目及び４ページ目）＝￥７５となり、図２１Ｂに示す従来の印刷方法よりも印刷コストを低減することができる。
【０１５０】
（実施の形態１の具体例７）
図２２は、本発明の実施の形態１の各処理によって印刷される印刷用紙と元画像との関係を示す実施の形態１の具体例７の説明図であり、図２２Ａは元画像データを示す図、図２２Ｂは図２２Ａの元画像を節約印刷を指定せず両面印刷した場合の印刷結果を示す図、図２２Ｃは図２２Ａの元画像を節約印刷を指定して両面印刷した場合の印刷結果を示す図、図２２Ｄは図２２Ｃの印刷結果の印刷用紙を裁断した後の印刷用紙の説明図である。
図２２Ａに示すＡ５サイズの「白黒、カラー、カラー、白黒」の順の４ページの元画像データに対し、節約印刷「しない」を指定して、両面印刷すると、図２２Ｂに示すように、各ページ毎に両面印刷される。このときの印刷コストは、￥１０（１枚目表面）＋￥４０（１枚目裏面）＋￥４０（２枚目表面）＋￥１０（２枚目裏面）＝￥１００となる。
【０１５１】
これに対して、前記元画像データに対し、節約印刷「する」、節約効果判別ページ数「１」、最大用紙サイズ指定「無し」、最大裁断回数指定「無し」、料金節約優先「しない」を指定して両面印刷を行うと、図２２Ｃに示す印刷結果が得られる。即ち、元画像の第１ページ及び第２ページの両面属性パラメータが「白黒・Ａ５，カラー・Ａ５」であり、元画像の第３ページ及び第４ページの両面属性パラメータが「カラー・Ａ５，白黒・Ａ５」であり（ＳＴ２５３参照）、同一ではない。しかしながら、元画像の第３ページ及び第４ページを表裏逆転させると両面属性パラメータが「白黒・Ａ５，カラー・Ａ５」となるので、割付対象ページ数が２に設定される。したがって、ＳＴ２５７において、印刷用紙サイズがＡ４に設定され、表面に元画像の第１ページと第４ページが割り付けられ、その裏面に第２ページと第３ページとが割り付けられて印刷される。そして、印刷されたＡ４の印刷用紙を裁断すると、図２２Ｄに示すように、表面と裏面のページ順が正しい印刷用紙が得られる。なお、３ページ目と４ページ目が印刷された印刷用紙は、表裏を入れ替えるとページ順が正しくなる。このときの印刷コストは、￥１５（元画像第１ページ及び第４ページ）＋￥６０（第２ページ及び第３ページ）＝￥７５となり、図２１Ｂに示す従来の印刷方法よりも印刷コストを低減することができる。
【０１５２】
（実施の形態１の具体例８）
図２３は、本発明の実施の形態１の各処理によって印刷される印刷用紙と元画像との関係を示す実施の形態１の具体例８の説明図であり、図２３Ａは元画像データを示す図、図２３Ｂは図２３Ａの元画像を節約印刷を指定せず両面印刷した場合の印刷結果を示す図、図２３Ｃは図２３Ａの元画像を実施の形態１では実行しない処理で両面印刷した場合の印刷結果を示す図、図２３Ｄは図２３Ｃの印刷結果の印刷用紙を裁断した後の印刷用紙の説明図である。
図２３Ａに示すＡ５サイズの「カラー、白黒、白黒、白黒、白黒、カラー」の順の６ページの元画像データに対し、節約印刷「しない」を指定して両面印刷すると、図２３Ｂに示す印刷結果が得られる。即ち、図２３Ｂに示すように、各ページの属性（カラーまたは白黒）に応じて両面印刷される。このときの印刷コストは、￥４０＋￥１０×４＋￥４０＝￥１２０となる。
【０１５３】
仮に、属性毎に割付対象ページ数を設定した場合、図２３Ｃに示すように、Ａ５の印刷用紙に１ページ目と６ページ目が印刷され、２ページ及び３ページの裏面に４ページ及び５ページが印刷されてしまう。図２３Ｃに示す印刷用紙を裁断すると、図２３Ｄに示すように、各印刷用紙において表裏のページ順がずれてしまう。したがって、実施の形態１の画像処理装置ＰＳでは、図２３Ｄの処理は実行されない。
図２４は、本発明の実施の形態１の各処理によって印刷される印刷用紙と元画像との関係を示す実施の形態１の具体例８の説明図であり、図２４Ａは図２３Ａに対応する元画像データを示す図、図２４Ｂは図２４Ａの元画像を節約印刷を指定して両面印刷した場合の印刷結果を示す図、図２４Ｃは図２４Ｂの印刷結果の印刷用紙を裁断した後の印刷用紙の説明図、図２４Ｄは図２４Ｃの裁断後の印刷用紙をページ順に応じて並べ直した状態を示す説明図である。
【０１５４】
図２４Ａに示すＡ５サイズの「カラー、白黒、白黒、白黒、白黒、カラー」の順の６ページの元画像データに対し、節約印刷「する」、節約効果判別ページ数「１」、最大用紙サイズ指定「無し」、最大裁断回数指定「無し」、料金節約優先「しない」を指定して両面印刷すると、図２４Ｂに示す印刷結果を得る。即ち、元画像の第１ページ及び第２ページの両面属性パラメータ「カラー・Ａ５，白黒・Ａ５」と、第５ページ及び第６ページを表裏逆転した両面属性パラメータとが同一なので割付対象ページ数が２に設定される（図１４のＳＴ２５３参照）。したがって、図２４Ｂに示すように、元画像の第１ページ及び第６ページがＡ４の印刷用紙の表面にカラーで印刷され、その裏面に元画像の第２ページ及び第５ページが白黒で印刷される（ＳＴ２５７、ＳＴ１３７参照）。そして、第３ページがＡ５の印刷用紙に白黒で印刷され、その裏面に第４ページが白黒で印刷される。そして、図２４Ｂに示す印刷結果を裁断すると、図２４Ｃに示すＡ５の３枚の印刷用紙を得ることができ、図２４Ｄに示すように並べ直すことにより、ページ順及びカラー・白黒が正確な印刷用紙が得られる。このときの印刷コストは、￥６０（Ａ４カラー）＋￥１５（Ａ４白黒）＋￥１０（Ａ５白黒）×２＝￥９５となり、前記図２３Ｂに示す従来の印刷コストよりも低減することができる。
【０１５５】
（実施の形態１の具体例９）
図２５は、本発明の実施の形態１の各処理によって印刷される印刷用紙と元画像との関係を示す実施の形態１の具体例９の説明図であり、図２５Ａは元画像データを示す図、図２５Ｂは図２５Ａの元画像を節約印刷を指定して印刷した場合の印刷結果を示す図、図２５Ｃは図２５Ａの元画像を最大裁断回数を指定して印刷した場合の印刷結果を示す図、図２５Ｄは印刷用紙サイズを指定して印刷した場合の印刷結果を示す図、図２５Ｅは実施の形態１の変更例１の印刷結果を示す図である。
図２５Ａに示すＡ５の「白黒」７ページの元画像データに対し、節約印刷「する」、節約効果判別ページ数「１」、最大用紙サイズ指定「する」、最大用紙サイズ「Ａ３」、最大裁断回数指定「無し」、料金節約優先「しない」を指定して印刷を行うと、図２５Ｂに示す印刷結果が得られる。即ち、図１２のＳＴ１５４において７ページ全てが割付対象ページ数に設定され、ＳＴ１５７において、使用可能最大用紙サイズ「Ａ３」に割付可能な最大のページ数である４ページが割り付けられて印刷される。次に、残りの３ページに対して同様の処理が行われ、Ａ４に２ページ割り付けられて印刷され、最後の１ページがＡ５に割り付けられて印刷される。
【０１５６】
これに対し、前記元画像データに対し、節約印刷「する」、節約効果判別ページ数「１」、最大用紙サイズ指定「なし」、最大裁断回数指定「あり」、最大裁断回数「１」、料金節約優先「しない」を指定して印刷を行うと、図２５Ｃに示す印刷結果が得られる。即ち、図１０のＳＴ１３１において、最大裁断回数「１」及び元画像サイズ「Ａ５」から使用可能最大用紙サイズが「Ａ４」に設定され、図２５Ｃに示すように、「Ａ４」３枚（１〜６ページが割付）と、「Ａ５」１枚（７ページが割付）とが得られる。したがって、印刷用紙をユーザの指定した回数裁断することによって、１〜７ページを得ることができる。
また、前記元画像データに対し、節約印刷「する」、節約効果判別ページ数「１」、最大用紙サイズ指定「しない」、最大裁断回数指定「なし」、料金節約優先「しない」を指定し、印刷用紙サイズを「Ａ４」に指定して印刷を行うと、図２５Ｄに示す印刷結果が得られる。即ち、ＳＴ１３１において、指定された「Ａ４」のみの使用可能用紙リストが作成され、これに基づいて、ＳＴ１５７において「Ａ４」に２ページずつが割り付けられて印刷される。したがって、ユーザが指定した印刷用紙サイズに複数ページ割り付けられて印刷することができる。
【０１５７】
（実施の形態１の変更例１）
さらに、実施の形態１では、印刷用紙サイズの指定がある場合に、図１０のＳＴ１３１において、指定された印刷用紙サイズのみの使用可能用紙リストが作成されるが、これに替えて、指定された印刷用紙サイズと、元画像サイズの２種類の印刷用紙サイズの使用可能用紙リストを作成する処理（仮にＳＴ１３１′とする）とすることも可能である（実施の形態１の変更例１）。この場合、前記元画像データに対し、節約印刷「する」、節約効果判別ページ数「１」、最大用紙サイズ指定「しない」最大裁断回数指定「なし」、料金節約優先「しない」を指定し、使用する印刷用紙サイズを「Ａ３」に指定して印刷を行うと、図２５Ｅに示す印刷結果が得られる。即ち、ＳＴ１３１′において、指定された「Ａ３」と元画像サイズの「Ａ５」とが記憶された使用可能用紙リストが作成される。そして、先ず、ＳＴ１５７において、１〜４ページが割り付けられて印刷された後、５ページ目以降を印刷する際には、ＳＴ１６０において割付判別用紙サイズが「Ａ３」から「Ａ５」に設定され、ＳＴ１５７において５ページが「Ａ５」に割り付けられて印刷される。同様に、６ページ目、７ページ目も「Ａ５」に印刷される。したがって、無駄紙の発生を防止できる。
【０１５８】
（実施の形態１の具体例１０）
図２６は、本発明の実施の形態１の各処理によって印刷される印刷用紙と元画像との関係を示す実施の形態１の具体例１０の説明図であり、図２６Ａは元画像データを示す図、図２６Ｂは図２６Ａの元画像を実施の形態１の節約印刷処理で印刷した場合の印刷結果を示す図、図２６Ｃは図２６Ａの元画像を実施の形態１の節約印刷処理の変更例２で印刷した場合の印刷結果を示す図である。
図２６Ａに示すＡ５の「白黒（文字）」６ページの元画像データに対し、節約印刷「する」、節約効果判別ページ数「１」、最大用紙サイズ指定「する」、最大用紙サイズ「Ａ３」、最大裁断回数指定「無し」、料金節約優先「しない」を指定して印刷を行うと、図２５Ｂと同様に、図２６Ｂに示す印刷結果が得られる。
【０１５９】
（実施の形態１の変更例２）
実施の形態１では、前記ＳＴ１５３において、先頭ページと同じ属性のページをカウントし、ＳＴ１５７、ＳＴ１５９で先頭ページから割り付ける処理を実行したが、これに替えて、ＳＴ１５３′において最終ページと同じ属性のページをカウントし、ＳＴ１５７′、ＳＴ１５９′で最終ページから割り付ける処理を実行することも可能である（実施の形態１の変更例２）。この場合、図２６Ｃに示すように、最終ページから割り付けが行われ、４〜７ページがＡ３の印刷用紙に印刷され、２，３ページがＡ４の印刷用紙に、１ページがＡ５の印刷用紙に印刷される。
なお、前記ＳＴ１５７′、ＳＴ１５９′の最終ページから割り付ける処理と、ＳＴ１５７，ＳＴ１５９の先頭ページから割り付ける処理をユーザの指定によって選択可能とするよう構成することも可能である。
【０１６０】
（実施の形態１の具体例１１）
図２７は、本発明の実施の形態１の各処理によって印刷される印刷用紙と元画像との関係を示す実施の形態１の具体例１１の説明図であり、図２７Ａは元画像データを示す図、図２７Ｂは図２７Ａの元画像を実施の形態１の節約印刷処理で印刷した場合の印刷結果を示す図、図２７Ｃは図２７Ａの元画像を実施の形態１の節約印刷処理の変更例３で印刷した場合の印刷結果を示す図である。
図２７Ａに示す１ページ目と３〜６ページのＡ５サイズの「文字（白黒）」データと、２ページ目にＡ５サイズの「写真（カラー）」データとを有する元画像データを印刷する際に、２ページ目の画像のみ手差しトレイＴＲ０から上質紙を給紙して印刷したい場合、実施の形態１ではページ毎に給紙方法を変更できないので、図２７Ｂに示す印刷結果となってしまう。
【０１６１】
（実施の形態１の変更例３）
これに対し、例えば、プリンタサーバの処理によりページ毎に給紙方法を指定できるよう構成し且つ、図１０のＳＴ１２３の処理を図１２のＳＴ１５５の次に行うよう構成することも可能である（実施の形態１の変更例３）。これにより、手差しトレイＴＲ０からの給紙の指定を判別し、指定されている場合に、印刷用紙を給紙トレイＴＲからではなく、手差しトレイＴＲ０から給紙することにより、印刷用紙毎に給紙方法（給紙トレイＴＲからの給紙か手差しトレイＴＲ０からの給紙か）を変更することが可能となる。この結果、図２７Ｃに示す印刷結果が得られる。なお、図２７Ｃの印刷結果は、最終ページから割り付けを行った場合の印刷結果である。
なお、前記実施の形態１の変更例３において、手差しトレイＴＲ０と給紙トレイＴＲからの給紙方法の変更に限定されず、給紙トレイＴＲ毎に異なる用紙種類（普通紙、上質紙、厚紙等の印刷用紙の種類）の印刷用紙をセットし、ページ毎に印刷用紙の種類の指定を判別して、印刷用紙及び割り付けページ数の設定をすることによって図２７Ｃと同様の印刷結果を得ることも可能である。
【０１６２】
（実施の形態１の具体例１２）
図２８は、本発明の実施の形態１の各処理によって印刷される印刷用紙と元画像との関係を示す実施の形態１の具体例１２の説明図であり、図２８Ａは元画像データを示す図、図２８Ｂは図２８Ａの元画像を部数毎に印刷した場合の印刷結果を示す図、図２８Ｃは図２８Ａの元画像を部数毎に印刷しなかった場合の印刷結果を示す図である。
図２８Ａに示すＡ５の「白黒」７ページの元画像データを３部印刷する場合に、部数単位で印刷することを指定し、節約印刷「する」、節約効果判別ページ数「１」、最大用紙サイズ指定「する」、最大用紙サイズ「Ａ３」、最大裁断回数指定「無し」、料金節約優先「しない」を指定して印刷を行うと、図２８Ｂに示す印刷結果が得られる。即ち、前記図４の印刷開始入力画面２において、印刷部数を３ページに指定し、「部単位で印刷」をチェックした場合、図２８Ｂに示すように、１部毎にページの割付が行われて印刷される。したがって、前記図１２のＳＴ１５４において、７ページが割付対象ページ数として記憶される。これに対し、前記前記図４の印刷開始入力画面２において、「部単位で印刷」をチェックしなかった場合、印刷総数である２１ページ（７ページ×３部）が割付対象ページ数として記憶され、図２８Ｃの印刷結果が得られる。
【０１６３】
（実施の形態１の具体例１３）
図２９は、本発明の実施の形態１の各処理によって印刷される印刷用紙と元画像との関係を示す実施の形態１の具体例１３の説明図であり、図２９Ａは元画像データを示す図、図２９Ｂは図２９Ａの元画像を節約印刷を指定せず２ｕｐ印刷した場合の印刷結果を示す図、図２９Ｃは図２９Ａの元画像を節約印刷を指定して２ｕｐ印刷した場合の印刷結果を示す図である。
図２９Ａに示すＡ５の「白黒」６ページの元画像データを、節約印刷「しない」、節約効果判別ページ数「１」、最大用紙サイズ指定「しない」、最大裁断回数指定「無し」、料金節約優先「しない」を指定して２ｕｐ印刷を行うと、図２９Ｂに示す印刷結果が得られる。即ち、元画像の第１ページ及び第２ページが縮小されてＡ５の印刷用紙に印刷され、第３ページ及び第４ページと第５ページ及び第６ページも縮小されてＡ５の印刷用紙に印刷される。このときの印刷コストは￥１０×３＝￥３０となる。
【０１６４】
これに対し、節約印刷「する」、節約効果判別ページ数「１」、最大用紙サイズ指定「無し」、最大裁断回数指定「無し」、料金節約優先「しない」を指定して２ｕｐ印刷を行うと、図２９Ｃに示す印刷結果が得られる。即ち、前記図１５のＳＴ３５４において、印刷対象ページ数として３が設定され、ＳＴ３５７において、Ａ４の印刷用紙に元画像の第１ページ〜第４ページが縮小されて割り付けられて印刷され、Ａ５の印刷用紙に元画像の第５ページ及び第６ページが縮小されて２ｕｐの状態で割り付けられて印刷される。そして、図２９ＣのＡ４の印刷用紙を裁断することによって、図２９Ｂに示す印刷結果と同様の印刷結果を得ることができる。このときの印刷コストは￥１５＋￥１０＝￥２５となり、節約印刷を指定しない場合と比較して印刷コストを低減できる。
【０１６５】
（その他の変更例）
以上、本発明の実施の形態及び実施の形態の変更例を詳述したが、本発明は、前記実施の形態に限定されるものではなく、特許請求の範囲に記載された本発明の要旨の範囲内で、種々の変更を行うことが可能である。本発明のその他の変更例（Ｈ01）〜（Ｈ06）を下記に例示する。
（Ｈ01）前記実施の形態において、クライアントパソコンＰＣにおいて節約印刷設定処理を実行せず、プリンタサーバＰＳのみで節約印刷設定処理を実行するよう構成することも可能である。また、逆に、ワークステーションＷＳやデータベースサーバＤＢＳ等で節約印刷設定処理を実行可能に構成することも可能である。
【０１６６】
（Ｈ02）前記実施の形態において、前記プリンタサーバＰＳの節約印刷処理等の全ての処理をクライアントパソコンＰＣで実行可能に構成し、プリンタサーバＰＳを省略して、クライアントパソコンＰＣにプリンタを直接接続するよう構成することも可能である。逆に、前記プリンタサーバＰＳの全ての処理をプリンタＰｒで実行可能に構成し、プリンタサーバＰＳを省略することも可能である。
（Ｈ03）前記実施の形態において、プリンタサーバＰＳにおけるＳＴ１０６〜ＳＴ１１０等の印刷処理をプリンタＰｒで実行し、その他のプリンタサーバＰＳの処理をクライアントパソコンＰＣで実行するよう構成することによってプリンタサーバＰＳを省略することも可能である。
【０１６７】
（Ｈ04）本発明は複写機（画像処理装置）に適用することも可能である。即ち、複写機の自動原稿搬送装置等を使用して複数ページの原稿を全て読取り、元画像として記憶して、前記プリンタサーバＰＳ及びプリンタＰｒにおける処理を実行することにより、複写機において、自動的に印刷用紙を設定して節約印刷を実行することができる。
（Ｈ05）前記実施の形態において、印刷パラメータ設定プログラムＰ１や印刷データ作成プログラムＰ２は、ハードディスクドライブ以外のコンピュータが読取り可能な記憶媒体（光磁気ディスク装置、光ディスク装置、磁気ディスク装置あるいはメモリスロット等）に記憶したり、可搬型の記録媒体（フレキシブルディスクや光磁気ディスク、光ディスク、磁気ディスク、フラッシュメモリ等）に記憶することも可能である。また、例えばネットワークなどの通信手段を介して各プログラムをクライアントパソコンＰＣ等に転送し、クライアントパソコンＰＣ内の記憶媒体に格納して実行させることも可能である。
【０１６８】
（Ｈ06）前記実施の形態において、Ｎｕｐ印刷は片面印刷時にのみ実行されるよう構成されているが、両面印刷時にＮｕｐ印刷を実行できるように構成することも可能である。
【図面の簡単な説明】
【０１６９】
【図１】図１は本発明の印刷処理システムの実施の形態１の説明図である。
【図２】図２は前記図１に示す印刷処理システムのクライアントパソコンの機能をブロック図（機能ブロック図）で示した図である。
【図３】図３は本発明の実施の形態１の画像処理装置の画像処理プログラムとしての印刷パラメータ設定プログラムの機能実現手段によってクライアントパソコン又はプリンタサーバのディスプレイに表示される節約印刷設定画面の説明図である。
【図４】図４は本発明の画像処理装置としてのクライアントパソコンに組み込まれているアプリケーションプログラムの印刷開始入力画面の説明図である。
【図５】図５は前記図１に示す印刷処理システムのプリンタサーバ及びプリンタの機能をブロック図（機能ブロック図）で示した図である。
【図６】図６は本発明の印刷情報処理手段の機能実現手段によってプリンタサーバのディスプレイに表示されるメイン画面の説明図である。
【図７】図７は本発明の実施の形態１の印刷処理システムのクライアントパソコンにおける印刷設定処理のフローチャートである。
【図８】図８は、前記図７の印刷設定処理の節約印刷設定処理のサブルーチンのフローチャートである。
【図９】図９は本発明の実施の形態１の印刷処理システムのプリンタサーバにおける処理のメインフローチャートである。
【図１０】図１０は前記図９のプリンタサーバの処理における節約印刷処理のサブルーチンのフローチャートである。
【図１１】図１１は、元画像サイズ、割り付け可能ページ数及び裁断回数のいずれかから印刷用紙サイズを算出するための印刷用紙サイズ算出テーブルの説明図である。
【図１２】図１２は前記図１０の節約印刷処理におけるページ割付設定処理のサブルーチンのフローチャートである。
【図１３】図１３は料金節約優先時に使用される各パラメータの説明図であり、図１３Ａは割付対象ページ数・料金節約用紙テーブルの説明図、図１３Ｂは印刷料金表の説明図である。
【図１４】図１４は、両面印刷時の節約印刷処理におけるページ割付設定処理のサブルーチンのフローチャートであり、前記図１２に対応する図である。
【図１５】図１５は、Ｎｕｐ印刷時の節約印刷処理におけるページ割付設定処理のサブルーチンのフローチャートであり、前記図１２に対応する図である。
【図１６】図１６は、本発明の実施の形態１の各処理によって印刷される印刷用紙と元画像との関係を示す実施の形態１の具体例１の説明図であり、図１６Ａは元画像データを示す図、図１６Ｂは本発明の実施の形態１の処理での印刷結果を示す図、図１６Ｃは従来の処理での印刷結果を示す図である。
【図１７】図１７は、本発明の実施の形態１の各処理によって印刷される印刷用紙と元画像との関係を示す実施の形態１の具体例２の説明図であり、図１７Ａは元画像データを示す図、図１７Ｂは元画像サイズより大きな印刷用紙に複数ページを割り付けて印刷しない従来技術の場合の印刷結果を示す図、図１７Ｃは、図１７Ａの元画像を節約印刷を指定し料金節約優先を指定せずに印刷した場合の印刷結果を示す図、図１７Ｃは図１７Ａの元画像を料金節約優先を指定して印刷した場合の印刷結果を示す図である。
【図１８】図１８は、本発明の実施の形態１の各処理によって印刷される印刷用紙と元画像との関係を示す実施の形態１の具体例３の説明図であり、図１８Ａは元画像データを示す図、図１８Ｂは図１８Ａの元画像を節約印刷を指定して印刷した場合の印刷結果を示す図、図１８Ｃは図１８Ａの元画像を節約印刷を指定せず印刷した場合の印刷結果を示す図である。
【図１９】図１９は、本発明の実施の形態１の各処理によって印刷される印刷用紙と元画像との関係を示す実施の形態１の具体例４の説明図であり、図１９Ａは元画像データを示す図、図１９Ｂは図１９Ａの元画像を節約印刷を指定せず印刷した場合の印刷結果を示す図、図１９Ｃは図１９Ａの元画像を節約印刷を指定して印刷した場合の印刷結果を示す図である。
【図２０】図２０は、本発明の実施の形態１の各処理によって印刷される印刷用紙と元画像との関係を示す実施の形態１の具体例５の説明図であり、図２０Ａは元画像データを示す図、図２０Ｂは図２０Ａの元画像を節約印刷を指定せず印刷した場合の印刷結果を示す図、図２０Ｃは図２０Ａの元画像を節約印刷を指定して印刷した場合の印刷結果を示す図である。
【図２１】図２１は、本発明の実施の形態１の各処理によって印刷される印刷用紙と元画像との関係を示す実施の形態１の具体例６の説明図であり、図２１Ａは元画像データを示す図、図２１Ｂは図２１Ａの元画像を節約印刷を指定せず印刷した場合の印刷結果を示す図、図２１Ｃは図２１Ａの元画像を節約印刷を指定して印刷した場合の印刷結果を示す図、図２１Ｄは図２１Ｃの印刷結果の印刷用紙を裁断した後の印刷用紙の説明図である。
【図２２】図２２は、本発明の実施の形態１の各処理によって印刷される印刷用紙と元画像との関係を示す実施の形態１の具体例７の説明図であり、図２２Ａは元画像データを示す図、図２２Ｂは図２２Ａの元画像を節約印刷を指定せず両面印刷した場合の印刷結果を示す図、図２２Ｃは図２２Ａの元画像を節約印刷を指定して両面印刷した場合の印刷結果を示す図、図２２Ｄは図２２Ｃの印刷結果の印刷用紙を裁断した後の印刷用紙の説明図である。
【図２３】図２３は、本発明の実施の形態１の各処理によって印刷される印刷用紙と元画像との関係を示す実施の形態１の具体例８の説明図であり、図２３Ａは元画像データを示す図、図２３Ｂは図２３Ａの元画像を節約印刷を指定せず両面印刷した場合の印刷結果を示す図、図２３Ｃは図２３Ａの元画像を実施の形態１では実行しない処理で両面印刷した場合の印刷結果を示す図、図２３Ｄは図２３Ｃの印刷結果の印刷用紙を裁断した後の印刷用紙の説明図である。
【図２４】図２４は、本発明の実施の形態１の各処理によって印刷される印刷用紙と元画像との関係を示す実施の形態１の具体例８の説明図であり、図２４Ａは図２３Ａに対応する元画像データを示す図、図２４Ｂは図２４Ａの元画像を節約印刷を指定して両面印刷した場合の印刷結果を示す図、図２４Ｃは図２４Ｂの印刷結果の印刷用紙を裁断した後の印刷用紙の説明図、図２４Ｄは図２４Ｃの裁断後の印刷用紙をページ順に応じて並べ直した状態を示す説明図である。
【図２５】図２５は、本発明の実施の形態１の各処理によって印刷される印刷用紙と元画像との関係を示す実施の形態１の具体例９の説明図であり、図２５Ａは元画像データを示す図、図２５Ｂは図２５Ａの元画像を節約印刷を指定して印刷した場合の印刷結果を示す図、図２５Ｃは図２５Ａの元画像を最大裁断回数を指定して印刷した場合の印刷結果を示す図、図２５Ｄは印刷用紙サイズを指定して印刷した場合の印刷結果を示す図、図２５Ｅは実施の形態１の変更例１の印刷結果を示す図である。
【図２６】図２６は、本発明の実施の形態１の各処理によって印刷される印刷用紙と元画像との関係を示す実施の形態１の具体例１０の説明図であり、図２６Ａは元画像データを示す図、図２６Ｂは図２６Ａの元画像を実施の形態１の節約印刷処理で印刷した場合の印刷結果を示す図、図２６Ｃは図２６Ａの元画像を実施の形態１の節約印刷処理の変更例２で印刷した場合の印刷結果を示す図である。
【図２７】図２７は、本発明の実施の形態１の各処理によって印刷される印刷用紙と元画像との関係を示す実施の形態１の具体例１１の説明図であり、図２７Ａは元画像データを示す図、図２７Ｂは図２７Ａの元画像を実施の形態１の節約印刷処理で印刷した場合の印刷結果を示す図、図２７Ｃは図２７Ａの元画像を実施の形態１の節約印刷処理の変更例３で印刷した場合の印刷結果を示す図である。
【図２８】図２８は、本発明の実施の形態１の各処理によって印刷される印刷用紙と元画像との関係を示す実施の形態１の具体例１２の説明図であり、図２８Ａは元画像データを示す図、図２８Ｂは図２８Ａの元画像を部数毎に印刷した場合の印刷結果を示す図、図２８Ｃは図２８Ａの元画像を部数毎に印刷しなかった場合の印刷結果を示す図である。
【図２９】図２９は、本発明の実施の形態１の各処理によって印刷される印刷用紙と元画像との関係を示す実施の形態１の具体例１３の説明図であり、図２９Ａは元画像データを示す図、図２９Ｂは図２９Ａの元画像を節約印刷を指定せず２ｕｐ印刷した場合の印刷結果を示す図、図２９Ｃは図２９Ａの元画像を節約印刷を指定して２ｕｐ印刷した場合の印刷結果を示す図である。
【符号の説明】
【０１７０】
Ｃ１…元画像記憶手段、Ｃ２…節約印刷設定画面表示手段、Ｃ４…節約印刷指定手段、Ｃ４Ａ…節約印刷指定画像表示手段、Ｃ４Ｂ…節約印刷指定記憶手段、Ｃ２１…印刷データ作成手段、Ｃ２２…印刷データ送信手段、Ｃ３〜Ｃ９…用紙選択条件指定手段、Ｃ３Ａ…使用可能印刷用紙サイズ記憶手段、Ｃ３Ｂ，Ｃ４Ａ，Ｃ４Ｃ１，Ｃ５Ａ，Ｃ５Ｃ，Ｃ６Ａ，Ｃ６Ｃ，Ｃ７Ａ，Ｃ８Ａ，Ｃ９Ａ，Ｃ９Ｃ…用紙選択条件指定画像表示手段、Ｃ３Ｃ，Ｃ４Ｂ，Ｃ４Ｃ２，Ｃ５Ｂ，Ｃ５Ｄ，Ｃ６Ｂ，Ｃ６Ｄ，Ｃ７Ｂ，Ｃ８Ｂ，Ｃ９Ｂ，Ｃ９Ｄ…用紙選択条件指定記憶手段、Ｃ５…最大用紙サイズ指定手段、Ｃ５Ａ…最大用紙サイズ指定画像表示手段、Ｃ５Ｂ…最大用紙サイズ指定有無記憶手段、Ｃ６…最大裁断回数指定手段、Ｃ６Ａ…最大裁断回数指定画像表示手段、Ｃ６Ｂ…最大裁断回数指定有無記憶手段、Ｃ７…料金節約優先指定手段、Ｃ７Ａ…料金節約優先指定画像表示手段、Ｃ７Ｂ…料金節約優先指定記憶手段、Ｃ８…両面印刷指定手段、Ｃ８Ａ…両面印刷指定画像表示手段、Ｃ８Ｂ…両面印刷指定記憶手段、Ｃ９…Ｎｕｐ印刷指定手段、Ｃ９Ａ…Ｎｕｐ印刷指定画像表示手段、Ｃ９Ｂ…Ｎｕｐ印刷指定有無記憶手段、Ｃ３１…受信印刷データ記憶手段、Ｃ３５…使用可能印刷用紙サイズ設定手段、Ｃ３６Ｃ，Ｃ３７Ｄ，Ｃ３８Ｄ…印刷用紙サイズ設定手段、Ｃ３６Ｄ，Ｃ３７Ｅ，Ｃ３８Ｅ…元画像割り付け手段、Ｃ３９…印刷画像データ作成手段、Ｐｒ…印刷装置，画像処理装置、ＰＳ…画像処理装置、１…節約印刷設定画面、４〜１２…用紙選択条件指定画像、６…節約印刷指定画像、７…最大用紙サイズ指定画像、８…最大裁断回数指定画像、９…料金節約優先指定画像、１１…両面印刷指定画像、１２…Ｎｕｐ印刷指定画像。
【図１】
2005086427.tif 000003
【図２】
2005086427.tif 000004
【図３】
2005086427.tif 000005
【図４】
2005086427.tif 000006
【図５】
2005086427.tif 000007
【図６】
2005086427.tif 000008
【図７】
2005086427.tif 000009
【図８】
2005086427.tif 000010
【図９】
2005086427.tif 000011
【図１０】
2005086427.tif 000012
【図１１】
2005086427.tif 000013
【図１２】
2005086427.tif 000014
【図１３】
2005086427.tif 000015
【図１４】
2005086427.tif 000016
【図１５】
2005086427.tif 000017
【図１６】
2005086427.tif 000018
【図１７】
2005086427.tif 000019
【図１８】
2005086427.tif 000020
【図１９】
2005086427.tif 000021
【図２０】
2005086427.tif 000022
【図２１】
2005086427.tif 000023
【図２２】
2005086427.tif 000024
【図２３】
2005086427.tif 000025
【図２４】
2005086427.tif 000026
【図２５】
2005086427.tif 000027
【図２６】
2005086427.tif 000028
【図２７】
2005086427.tif 000029
【図２８】
2005086427.tif 000030
【図２９】
2005086427.tif 000031